(57)【要約】【課題】本体枠に配設された制御ユニットの取り外しや、ハーネス等の挿抜に係る労力を大幅に低減させ、本体枠に搭載された各種の部品へのメンテナンスを効率よく行わしめることが可能な遊技機を提供する。【解決手段】球誘導ユニットの後方に取り付け又は取り外し可能に配設され、外部電源から所定の電源が供給される電源基板を備えた電源ユニットと、球誘導ユニットの後方における電源ユニットと左右方向に隣接する位置に取り付け又は取り外し可能に配設され、遊技盤の遊技領域に打ち出される遊技球の払出を制御する払出制御基板を備えた払出制御ユニットとを備え、電源ユニット及び払出制御ユニットは、取り付け状態において球誘導ユニットの後部を部品搭載部後方から視認不能に閉塞し、取り外し状態において球誘導ユニットの後部の一部を露出させる構成とした。【選択図】図２
2014161546.tif 000002
【特許請求の範囲】
【請求項１】
遊技盤を収容可能な枠部と、当該枠部の下方において前記遊技盤から排出された遊技球を受け入れ可能な球誘導ユニットが後方に搭載された部品搭載部とを有する本体枠を備えた遊技機であって、
前記球誘導ユニットの後方に取り付け又は取り外し可能に配設され、外部電源から所定の電源が供給される電源基板を備えた電源ユニットと、
前記球誘導ユニットの後方における前記電源ユニットと左右方向に隣接する位置に取り付け又は取り外し可能に配設され、前記遊技盤の遊技領域に打ち出される遊技球の払出を制御する払出制御基板を備えた払出制御ユニットと、
を備え、
前記電源ユニット及び前記払出制御ユニットは、取り付け状態において前記球誘導ユニットの後部を前記部品搭載部後方から視認不能に閉塞し、取り外し状態において前記球誘導ユニットの後部の一部を露出させることを特徴とする遊技機。
【請求項２】
遊技盤を収容可能な枠部と、当該枠部の下方において前記遊技盤から排出された遊技球を受け入れ可能な球誘導ユニットが後方に搭載された部品搭載部とを有する本体枠を備えた遊技機であって、
前記球誘導ユニットの後方において前記部品搭載部の左右方向の一側部側に設けられた回転軸を中心として開閉可能に配設され、外部電源から所定の電源が供給される電源基板を備えた電源ユニットと、
前記球誘導ユニットの後方において前記部品搭載部の左右方向の他側部側に設けられた回転軸を中心として開閉可能に配設され、前記遊技盤の遊技領域に打ち出される遊技球の払出を制御する払出制御基板を備えた払出制御ユニットと、
を備え、
前記電源ユニット及び前記払出制御ユニットは、閉鎖状態において前記球誘導ユニットの後部を前記部品搭載部の後方から視認不能に閉塞し、開放状態において前記球誘導ユニットの後部の一部を露出させることを特徴とする遊技機。
【請求項３】
前記電源ユニットの電源基板に引き込まれた所定の電源が供給される第１中継基板及び第２中継基板を備えた中継基板ユニットを更に備え、
前記中継基板ユニットが前記球誘導ユニットの後方、かつ取り付け状態又は閉鎖状態にある前記払出制御ユニットの前方に配設され、
前記電源基板と前記第１中継基板間、及び前記電源基板と前記第２中継基板間に亘って延長する電源供給線の接続部が前記払出制御ユニットの取り付け状態又は閉鎖状態において閉塞され、取り外し状態又は開放状態において後方に露出することを特徴とする請求項１又は請求項２記載の遊技機。
【発明の詳細な説明】
【技術分野】
【０００１】
本発明は遊技機に関し、特にメンテナンス性を向上させることが可能な遊技機に関する。
【背景技術】
【０００２】
特許文献１に示すように、遊技機の一例としてのパチンコ機は概略、遊技場の島ともよばれる設備に固定的に設置される外枠と、外枠に対して開閉自在に軸着された本体枠と、本体枠に対して開閉自在に軸着されたパネル扉とを備える。本体枠には、遊技者の操作により発射される遊技球が流下する領域である遊技領域を有する遊技盤が装着されており、遊技者はパネル扉に設けられた窓部を通して遊技領域を視認することが可能となっている。また、同文献に示すように、本体枠及び遊技盤の裏側には、外部の商用電源の供給により動作し、遊技の進行に必要な多様な制御処理を実行する制御基板が格納された複数の制御ユニットがその機能ごとに所定の位置に配設されているとともに、これら複数の制御ユニットが電力供給用の信号線が束ねられたハーネスによって相互に接続されている。また、特に本体枠には、複数の制御ユニット以外にも、遊技盤の遊技領域を経て流下した遊技球を機外に排出する流路や、補給タンク及びこれに連通する払出ユニット内に残留する遊技球を機外に排出する流路等の複数の流路が形成された球誘導ユニット、或いは本体枠の前方に臨むように配設されたスピーカユニット等の関連部品が搭載されている。そして同文献に示すように、これらのユニットはその機能上、本体枠に装着された遊技盤の直下の位置に優先的に配設する必要性があるため、必然的に前述した複数の制御ユニットの位置を球誘導ユニットやスピーカユニットよりも後方に設定する必要が生じる。より具体的には、例えば本体枠の左右方向にほぼ並列的に配設された球誘導ユニットやスピーカユニットの後方に制御ユニットの一例としての電源ユニットを重ねるように配設し、さらに当該電源ユニットの後方に同じく制御ユニットの一例としての払出制御ユニットを重ねるように配設することが考えられる。
【先行技術文献】
【特許文献】
【０００３】
【特許文献１】特開２００５−８７７４５号公報
【発明の概要】
【発明が解決しようとする課題】
【０００４】
しかしながら、本体枠に対する球誘導ユニットやスピーカユニットの位置と、複数の制御ユニットの位置関係を上述のような関係（前後方向）とした場合、各制御ユニット自体のメンテナンスはもとより、パチンコ機を後方視した場合に奥深くに配設された球誘導ユニットやスピーカユニットのメンテナンスを行うことは一層の困難を極める。つまり、各制御ユニットは、本体枠に対して取り付け手段としての係止部や係止ピン等によって比較的容易に取り外すことが可能とされているものの、その前提として各制御ユニットに接続された複数のハーネスを、その接続対象を確認しつつ、或いはその結束状態、引き回し方向を記憶しながら全て取り外す必要があるため、メンテナンス対象となる制御ユニット単体を取り外すだけでも多大な労力を必要とする。さらに、メンテナンス対象がパチンコ機の後方から見て奥深くに配設された球誘導ユニットやスピーカユニットともなると、手前側に配設された全ての制御ユニットを取り外し、メンテナンス完了後に原状復帰作業（ハーネス等の再接続作業）を行う必要が生じるため、その労力は一層過大なものとなる。
【０００５】
本願発明は、上記課題を解決すべくなされたものであって、本体枠に配設された制御ユニットの取り外しや、ハーネス等の挿抜に係る労力を大幅に低減させ、本体枠に搭載された各種の部品へのメンテナンスを効率よく行わしめることが可能な遊技機を提供する。
【課題を解決するための手段】
【０００６】
上記課題を解決するための構成として、遊技盤を収容可能な枠部と、当該枠部の下方において遊技盤から排出された遊技球を受け入れ可能な球誘導ユニットが後方に搭載された部品搭載部とを有する本体枠を備えた遊技機であって、球誘導ユニットの後方に取り付け又は取り外し可能に配設され、外部電源から所定の電源が供給される電源基板を備えた電源ユニットと、球誘導ユニットの後方における電源ユニットと左右方向に隣接する位置に取り付け又は取り外し可能に配設され、遊技盤の遊技領域に打ち出される遊技球の払出を制御する払出制御基板を備えた払出制御ユニットとを備え、電源ユニット及び払出制御ユニットは、取り付け状態において球誘導ユニットの後部を部品搭載部後方から視認不能に閉塞し、取り外し状態において球誘導ユニットの後部の一部を露出させる構成とした。
また、前記構成の一部を前提とする他の構成として、球誘導ユニットの後方において部品搭載部の左右方向の一側部側に設けられた回転軸を中心として開閉可能に配設され、外部電源から所定の電源が供給される電源基板を備えた電源ユニットと、球誘導ユニットの後方において部品搭載部の左右方向の他側部側に設けられた回転軸を中心として開閉可能に配設され、遊技盤の遊技領域に打ち出される遊技球の払出を制御する払出制御基板を備えた払出制御ユニットとを備え、電源ユニット及び払出制御ユニットは、閉鎖状態において球誘導ユニットの後部を部品搭載部の後方から視認不能に閉塞し、開放状態において球誘導ユニットの後部の一部を露出させる構成とした。
また、前記各構成を前提とする他の構成として、電源ユニットの電源基板に引き込まれた所定の電源が供給される第１中継基板及び第２中継基板を備えた中継基板ユニットを更に備え、中継基板ユニットが球誘導ユニットの後方、かつ取り付け状態又は閉鎖状態にある払出制御ユニットの前方に配設され、電源基板と第１中継基板間、及び電源基板と第２中継基板間に亘って延長する電源供給線の接続部が払出制御ユニットの取り付け状態又は閉鎖状態において閉塞され、取り外し状態又は開放状態において後方に露出する構成とした。
なお、上記発明の概要は、本発明の必要な特徴の全てを列挙したものではなく、特徴群を構成する個々の構成もまた発明となり得る。
【発明の効果】
【０００７】
上記各構成によれば、本体枠に配設されたユニットの取り外しや、ハーネス等の挿抜に係る労力を大幅に低減させ、本体枠に搭載された各種の部品へのメンテナンスを効率よく行うことが可能となる。
【図面の簡単な説明】
【０００８】
【図１】パチンコ機を開放した状態を示す全体斜視図である。
【図２】本体枠の後方を示す全体斜視図である。
【図３】球誘導ユニット、電源ユニットロック体及び中継基板ユニットを示す分解斜視図である。
【図４】球誘導ユニットの前側を示す斜視図である。
【図５】電源ユニットを開放した状態を示す拡大斜視図である。
【図６】払出制御ユニットを開放した状態を示す拡大斜視図である。
【図７】電源ユニットと中継基板ユニット間のハーネス及びコネクタの接続関係を示す概略図である。
【図８】中継基板ユニットと、他のユニット間のハーネス及びコネクタの接続関係を示す模式図である。
【図９】メンテナンス作業に必要な工程を示すフローである。
【図１０】パチンコ機の制御及び電力供給を示すブロック図である。
【図１１】電源ユニット及び払出ユニットを閉鎖した状態を示す全体斜視図である。
【発明を実施するための形態】
【０００９】
以下、図１〜図１１を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の左右方向は、そのパチンコ機に対面する遊技者にとっての前後，上下，左右方向に一致させて説明する（各図の矢印参照）。
【００１０】
まず、図１を用いて遊技機の一例としてのパチンコ機１の全体構成について説明する。同図に示すように、パチンコ機１は、遊技機設置店の島ともよばれる設備に固定的に設置される縦長矩形状の機枠２と、機枠２に対して前後方向に開閉自在に軸着された本体枠３と、本体枠３内に着脱自在に装着される遊技盤１０と、本体枠３に対して前後方向に開閉自在に軸着されたパネル扉１５とを主たる構成として備える。
【００１１】
機枠２は、本体枠３を収容可能な矩形の開口部を形成する額縁状に形成され、左右方向一側部に上方に配設されたヒンジ２Ａと、当該ヒンジ２Ａと上下に対応するように左右方向一側部下方に配設された図外のヒンジにより本体枠３を前後方向に開閉可能に軸支する。本体枠３は、遊技盤１０を収容可能な矩形状の開口部を形成する枠部４と、枠部４の下方に位置する部品搭載部３０とを有する。枠部４は、下枠４Ａ、左枠４Ｂ、右枠４Ｃ及び上枠４Ｄとから構成される額縁状である。下枠４Ａの上面には、遊技盤１０の下面と当接し、遊技盤１０収容時の後方への押し込みを容易とする複数のガイドリブ６や、遊技盤１０が収容された状態において遊技盤１０に形成されたアウト口１０Ａと対応する排出誘導体７等が上方に向けて突設されている。
また、本体枠３の一側部（右側部）には、パネル扉１５の左右方向一側部に設けられた凹部と係合する図外の開閉軸を有するパネル保持ヒンジ８Ａ；８Ｂが前方に突設される。パネル保持ヒンジ８Ａ；８Ｂは、互いに上下方向に離間し、互いに対向して同軸上に突出する開閉軸を有しており、当該開閉軸がパネル扉１５の一側部に設けられた凹部と係合することにより、パネル扉１５が当該開閉軸を中心として本体枠３に対して前後方向に開閉自在に保持される。つまり、本体枠３は、機枠２に対して前後方向に開閉可能に構成され、パネル扉１５は本体枠３に対して開閉可能に構成される。
【００１２】
図２に示すように、左枠４Ｂの後部には、当該左枠４Ｂの上下方向に沿って後方に突設され、上枠４Ｄの後面に配設された球補給タンク９から供給される遊技球を遊技者に対して払い出す払出ユニット７５０が搭載される。払出ユニット７５０は、前後方向に蛇行しつつ上下方向に延在する図外の内部通路と、払出モータの駆動により回転し、内部通路内において遊技球を所定回転角ごとに分離して払い出すスプロケットや、当該スプロケットにより払い出される遊技球を検出する計数センサ等の払出機構とを有しており、当該払出ユニット７５０による払出動作は、図１０に示すように、払出制御ユニット３００内に格納された払出発射制御基板３００Ａによる処理により実行される。また、上枠４Ｄの後部には、球補給タンク９に隣接するように、外部情報送信ユニット８００が後方に突設される。当該外部情報送信ユニット８００内には、外部情報端子基板８００Ａが格納されている。外部情報端子基板８００Ａは、後述する第１中継基板４５０と電気的に接続されており、遊技に関する各種の情報を遊技機設置店に設けられたホールコンピュータに送信する。
【００１３】
図１に戻り、右枠４Ｃの上下方向端部の内周側には、一対の遊技盤ロック体１１Ａ；１１Ｂが前方に突設される。遊技盤ロック体１１Ａ；１１Ｂは、遊技盤１０に開設されたロック孔１０Ｃ；１０Ｄとそれぞれ対応する円筒状の係合部と、当該係合体の前方において回動可能に設けられた楕円状のロック部とを有している。本体枠３の前方から押し込まれる遊技盤１０を脱落不能に装着，収容するには、遊技盤ロック体１１Ａ；１１Ｂのロック部を上下方向に平行となるように回動させた状態で遊技盤１０の角部に開設されたロック孔１０Ｂ：１０Ｃに通し、遊技盤１０を本体枠３の枠部４内における所定の位置に位置決めした後に、ロック部を左右方向に平行となるように回動させることにより行われる。これにより遊技盤１０のロック孔１０Ｂ；１０Ｃが遊技盤ロック体１１Ａ；１１Ｂの円筒状の係合部に嵌め合わされ、当該係合部からの脱落が前方に位置するロック部により阻止される。なお、枠部４内への遊技盤１０の固定は、枠部４の内周側に配設された他の位置決め機構やストッパ機構等によっても行われ、遊技盤１０が本体枠３の枠部４に装着，収容された場合、遊技盤１０は略垂直方向に立設した状態とされる。
【００１４】
本体枠３の部品搭載部３０は、下枠４Ａの下方において広がる横長矩形状の盤状領域であって、その前面に、主として発射機構搭載部３０Ａ、スピーカ搭載部３０Ｂ及び鍵飾り部３０Ｃ等の各種の取り付け部に区画される。また、部品搭載部３０の前面には、前後方向に貫通するハーネス導出孔が開設されており、後述する中継基板ユニット４００に形成されたハーネス前方導出部４１１Ａを経由して部品搭載部３０の後面側より引き出される複数のハーネスを部品搭載部３０の前面側に引き込み可能とされている。発射機構搭載部３０Ａは、パネル扉１５の前面に形成された図外の上皿体より供給される遊技球を球送りモータの駆動により順次取り込むとともに、図外の球発射モータの駆動によって取り込んだ遊技球を所定の間隔で遊技盤１０の遊技領域上に打ち出す球発射ユニット９００が取り付けられる部位である。当該球発射ユニット９００の動作は、後述する払出制御ユニット３００内に配設された払出発射制御基板３００Ａによる処理により実行される。
【００１５】
また、スピーカ搭載部３０Ｂは、前方に開口する円形の取り付け孔３６を有するとともに、図２に示すように部品搭載部３０の前面より後面側に突出する箱状の空間を形成する。同図に示すように、取り付け孔３６に対向するスピーカ搭載部３０Ｂの略矩形状の後壁３７の周縁部には複数の長孔３７Ａが周囲の側壁に亘るように形成されている。長孔３７Ａは、放熱、及びスピーカの音特性を向上させる作用を奏するものである。また、後壁３７の略中心位置にはハーネス引き出し孔３８が前後方向に貫通する孔として開設されている。当該スピーカ搭載部３０Ｂには、所定の固定手段を介して、例えば前方に向けて拡径するテーパ−状の図外のスピーカユニットが本体枠３の前方から後方に向けて格納される。また、当該スピーカユニットより延出するスピーカハーネスＳＨＡ１は、スピーカ搭載部３０Ｂの後壁３７に開設された引き出し孔３８を介して後方に引き出され、後述の中継基板ユニット４００に形成されたハーネス前方導出部４１１Ａを経由して第２中継基板４７０側に接続される。なお、詳細については後述するが、本実施形態に係るパチンコ機１においては、例えばスピーカユニットに含まれる振動板の破損等に起因する音割れ等の発生によりスピーカユニットの交換，補修等のメンテナンス作業が必要となった場合、スピーカ搭載部３０Ｂを後方から容易に露出させることができるとともに、スピーカユニットより延出するスピーカハーネスＳＨＡ１を容易に取り外し可能な構成となっている。
【００１６】
図１に戻り、鍵飾り部３０Ｃは、中央部に鍵穴を有し、前方に突設される円筒体であって、パネル扉１５が本体枠３側に閉じられた状態において鍵穴に図外の鍵を挿入し、一方に回動操作することによりパネル扉１５のロックが解除される。また、本体枠３が機枠２側に閉じられた状態において鍵穴に図外の鍵を挿入し、他方に回動操作することにより本体枠３のロックが解除される。
また、パネル扉１５が閉じられた状態おいて、鍵飾り部３０Ｃの下部と対応するパネル扉１５の前面側部には、ハンドルユニット２６０（図１０参照）が前方に向けて突設される。ハンドルユニット２６０は、後述する払出制御ユニット３００内に格納された払出発射制御基板３００Ａ側と図１０に示す扉中継基板２５０Ａを介して接続されており、払出発射制御基板３００Ａは、ハンドルユニット２６０を構成する発射ボリューム２６０Ａや停止スイッチ或いはタッチセンサからの入力に基づいて前述の球発射ユニット９００を制御する。
【００１７】
次に、本体枠３の部品搭載部３０の後面側に配設される各ユニットについて説明する。図２，図３等に示すように、本体枠３の部品搭載部３０の後面側には、球誘導ユニット１００、電源ユニットロック体１４０、電源ユニット２００、払出制御ユニット３００、中継基板ユニット４００等の各ユニットが搭載されている。また、本体枠３の部品搭載部３０に搭載された電源ユニット２００、払出制御ユニット３００、中継基板ユニット４００と、遊技盤１０の後面側に搭載される主制御ユニット５００及び副制御ユニット６００、或いは前述のハンドルユニット２６０、払出ユニット７５０、外部情報送信ユニット８００及び球発射ユニット９００等の各ユニット同士は、中継基板ユニット４００を基点とする電力供給によりパチンコ機１の後部側において相互又は個別に電気的に接続されている。
そして、特に本実施形態においては、部品搭載部３０の後方におけるメンテナンスの容易化を図るため、図７に示すように電源ユニット２００から延出する電源供給用のハーネスＨＡ１；ＨＡ１０が中継基板ユニット４００内の基板（第１中継基板４５０及び第２中継基板４７０）に接続され、当該中継基板ユニット４００より延出する複数のハーネスが他のユニット内に格納された基板に枝分かれするように接続されている。なお、各ユニットの取り付け構造や、接続構成の詳細については後述する。
【００１８】
次に、遊技盤１０について概説する。図１に示すように遊技盤１０は、本体枠３の枠部４の開口部の形状と対応する矩形状の盤体であって、内ガイドレール１１、及び外ガイドレール１２によってほぼ円形状に区画された遊技領域１３を有する。当該遊技領域１３は、前述の球発射ユニット９００によって打ち出された遊技球が流下する領域であって、その流下経路上には、遊技球を取り込み可能に設けられた第１始動入賞部品２０、第２始動入賞部品２１、及び大入賞部品２３等の各種の入賞部品やその他、通過ゲート２４、風車２５及び図外の遊技釘等の各種の遊技部品が配設されている。第１始動入賞部品２０、第２始動入賞部品２１、大入賞部品２３及び通過ゲート２４の内部には、それぞれ検出センサＳＷ１乃至ＳＷ４が内蔵されており、これら対応する検出センサによって遊技球の入賞又は通過が検出される。また、検出センサＳＷ１乃至ＳＷ４は、中継基板を介して主制御基板５００Ａと接続されており、その検出信号は主制御器基盤５００Ａの図示しない入力ポートを介してＣＰＵに出力される。また、遊技盤１０の略中央部には、前後左右方向に延在するステージ１４や、ステージ１４の後方に位置する演出表示装置６５０が配設される。ステージ１４は、遊技領域１３の流下経路上に設けられた図外のワープ通路によって導出された遊技球を例えば左右方向に転動させながら前方に誘導し、中央部に設けられた導出口より下流に排出する構成であって、例えば当該ステージ１４内に到達した遊技球は、高い確率で第１始動入賞部品２０内に入賞する。
【００１９】
演出表示装置６５０は、例えば遊技盤１０の前方に臨む表示画面６５０Ａ上において演出図柄の変動表示や、画像，動画等による所定の演出表示を表示可能な液晶表示装置であって、当該演出表示装置６５０によって表現される演出図柄の変動表示、或いは所定の演出表示の態様は、後述の副制御ユニット６００を構成する演出制御基板６００Ａによる制御処理により決定される。図１に示すように、演出表示装置６５０は、遊技盤１０の中央部に開設された取り付け孔を介して後方に突出するように配設されており、当該演出表示装置６５０の後面には、後述する副制御ユニット６００が配設される。
【００２０】
上記構成からなる遊技盤１０を備えたパチンコ機１の遊技の流れを概説すると、遊技球が第１始動入賞部品２０又は第２始動入賞部品２１に入賞した場合、主制御ユニット５００を構成する主制御基板５００Ａの処理により、乱数を用いた所定の当否抽選処理が実行され、副制御ユニット６００を構成する演出制御基板６００Ａは、前記所定の当否抽選の結果（「当り」又は「外れ」）を示す態様で変動表示中の演出図柄を停止表示させる。そして、演出図柄の停止表示した態様が「当り」を示す態様である場合には、大入賞部品２３を開放動作させる特別遊技（大当り遊技）を実行する。また、主制御基板５００Ａは、遊技球が第１始動入賞部品２０、第２始動入賞部品２１及び大入賞部品２３のいずれかに入賞したことに基づいて前述の払出発射制御基板３００Ａに対して賞球払出コマンドを送信し、当該コマンドを受信した払出発射制御基板３００Ａ側では賞球払出コマンドを解析するとともに、各入賞部品に対して予め設定された賞球数が払い出されるように前述の払出ユニット７５０を制御し、遊技者に対して遊技球（賞球）を払い出す。
特に特別遊技中において入賞可能となる大入賞部品２３への１球の入賞に対する賞球数は、他の入賞部品への１球の入賞に対する賞球数よりも多く設定され（例えば「３個」に対して「１５個」）、特別遊技を獲得した場合には、多くの入賞を可能としているため（例えば１Ｒ＝１０個の入賞で、１５Ｒの遊技）、一度に大量の賞球を獲得することが可能となる。なお、遊技盤１０の盤面構成、或いはパチンコ機１の遊技性についてはこの限りではなく、例えば上述した入賞部品以以外の入賞部品や、役物と呼ばれる動的装飾装置等を含んで構成されるがこれ以上の詳細な説明は省略する。
【００２１】
次にパネル扉１５について説明する。パネル扉１５は、本体枠３の前方の全域を前方から閉鎖可能な縦長矩形状の外観を呈し、その中央部には遊技盤１０の遊技領域１３の範囲とほぼ対応する大きさのガラス窓１６が配設されている。また、パネル扉１５の前面下部には、前述のハンドルユニット２６０の他、払出ユニット７５０より払い出された遊技球を貯留可能な図外の上皿と、当該上皿より溢れた遊技球を貯留可能な図外の下皿とが上下に分かれて突設されている。上皿に貯留された遊技球は、遊技者によるハンドルユニット２６０の操作によって前述の球発射ユニット９００内に順次送出され、球発射ユニット９００の駆動により遊技領域１３内に打ち出される。また、パネル扉１５の前面上部には、左右方向に分かれて複数のスピーカＳＰ１；ＳＰ２が設けられており、前述のスピーカユニットと同一又は異なる多様な音声がパネル扉１５の前方に発せられる。なお、パネル扉１５には上述した部品の他、複数のＬＥＤを搭載した電飾基板などの多様な装飾部品が搭載されている。
【００２２】
次に、図２乃至図６を参照して本実施形態の主要な構成に係る本体枠３の後側の構造について説明する。図２に示すように、本体枠３において遊技盤１０が収容される枠部４よりも下側の領域である部品搭載部３０の後面には、左右方向に亘って隣接配置される複数の通路形成体１１０；１２０、及び球受け拡張体１３０から構成される球誘導ユニット１００と、一方の通路形成体１１０の後部に着脱自在に配設される電源ユニットロック体１４０と、他方の通路形成体１２０の後部に着脱自在に配設される中継基板ユニット４００と、部品搭載部３０の右側部において開閉可能に配設された電源ユニット２００、及び部品搭載部３０の左側部において開閉可能に配設された払出制御ユニット３００が搭載される。以下、各ユニットの具体的な構造について説明する。
【００２３】
図２乃至図４に示すように、球誘導ユニット１００は、部品搭載部３０の中央部を含んで左側部に亘って配設される合成樹脂製の成型体であって、複数の通路形成体１１０；１２０が左右方向に隣接するように組み付けられ、他方の通路形成体１２０の前方に球受け拡張体１３０が組み付けられることにより、部品搭載部３０の後面に対して一体的に取り付けられる。また、本実施形態における球誘導ユニット１００は、遊技球の詰まりや、遊技球の衝突等に起因する破損等によって定期的或いは不定期なメンテナンスが必要となる部品であって、当該球誘導ユニット１００のメンテナンスが必要な場合には、パチンコ機１の後方において後述する電源ユニット２００及び払出制御ユニット３００を開放する工程が必要となるが、本実施形態においては電源ユニット２００及び払出制御ユニット３００の開放工程が極めて簡略的になされるように構成されており、さらに電源ユニット２００及び払出制御ユニット３００の開放により球誘導ユニット１００が露出する構成であるため、パチンコ機１の後方から見て奥深くに位置する球誘導ユニット１００へのメンテナンス作業を容易に行える構成となっている。以下、球誘導ユニット１００について詳説する。
【００２４】
図３，図４に示すように、通路形成体１１０は、前述の球発射ユニット９００によって打ち出された遊技球の全て、例えば前述したいずれかの入賞部品２０；２１；２３又はアウト口１０Ａ内に取り込まれ、遊技盤１０の後方に誘導された後に、セット盤と呼ばれる球誘導体によって下方に流下してくる遊技球を受け止める球受け通路１１１と、当該球受け通路１１１と連通し、球受け通路１１１によって受け止められて集約された遊技球を順次パチンコ機１の外部まで誘導する排出通路１１２とを主たる構成として備える。
【００２５】
図４に示すように、球受け通路１１１は、通路形成体１１０が部品搭載部３０に搭載された場合に、部品搭載部３０の取り付け面３５と平行となる盤面１１３より前後方向に突設される底壁１１１Ａと、当該底壁１１１Ａの後端縁に沿って上方に立ち上がる背壁１１１Ｂと、底壁１１１Ａの右端部より上方に立ち上がる側壁１１１Ｃによって囲まれた上方及び前方が開口する空間である。球受け通路１１１の前方開口は、部品搭載部３０の後面である取り付け面３５によって閉塞される。上方から流下してくる遊技球を受け止める底壁１１１Ａは、右側から左側に向かって漸次下傾斜するように延在しており、上方から落下して当該底壁１１１Ａ上に到達した遊技球は、左方に転動することによって排出通路１１２側に誘導される。また、底壁１１１Ａの上方には、背壁１１１Ｂの上端縁より後方に突出し、底壁１１１Ａに対向して左右方向に延在する上壁１１５が設けられる。図１にも示すように上壁１１５は、通路形成体１１０が部品搭載部３０の取り付け面３５に取り付けられた場合に、前述の本体枠３の下枠４Ａの上面より僅かに高い壁であり、下枠４Ａの後端縁と上壁１１５の前端縁との間に、少なくとも遊技球の直径よりも広く形成され、球受け通路１１１に連通する球取り込み間口Ｓが形成される。
【００２６】
排出通路１１２は、盤面１１３より前後方向に突設される下壁１１２Ａと、同じく盤面１１３より前後方向に突設され、前記下壁１１２Ａの延在形状に沿って対向する上壁１１２Ｂと、下壁１１２Ａ，上壁１１２Ｂの後端縁同士を接続する背壁１１２Ｃによって囲まれた前方開口の空間である。なお、前述の球受け通路１１１と同様に排出通路１１２の前方開口は、部品搭載部３０の取り付け面３５によって閉塞される。下壁１１２Ａは、前述の底壁１１１Ａの左端部に対して遊技球の直径以上の寸法離れた側部を基点として右側に向かって緩やかに下傾斜するとともに鋭角に左側に折れ曲がった後に下方に向けて緩やかに湾曲する壁である。これに対向する上壁１１２Ｂは、底壁１１１Ａの左端部に連接して、右側に向かって緩やかに下傾斜するとともに、緩やかに左側に湾曲した後に下方に向けて垂下する壁である。つまり、排出通路１１２は、通路形成体１１０内を左右方向に蛇行するように設けられた通路であって、底壁１１１Ａの左端部に到達した遊技球は、左右方向に蛇行しながら下流側へ誘導され、パチンコ機１の外部に排出されることとなる。
【００２７】
図３に示すように、通路形成体１１０の盤面１１３の後部は、電源ユニット閉鎖領域Ｒ１と、ロック体装着領域Ｒ２とに区画されている。電源ユニット閉鎖領域Ｒ１は、盤面１１３より後方に突出し、上下方向に延在する仕切り壁１１６を境界とする通路形成体１１０のほぼ右半部の領域である。当該電源ユニット閉鎖領域Ｒ１において突設された十字状のリブの交点には、後述する電源ユニット２００のケーシング２１０より前方に突出する十字ボス２１２Ａと係合するボス受け１１７が設けられている。電源ユニット２００が閉鎖方向に回動動作され、十字ボス２１２Ａがボス受け１１７に係合した場合、電源ユニット閉鎖領域Ｒ１は、電源ユニット２００によって後方から閉塞される。
【００２８】
つまり、電源ユニット２００を閉鎖した状態において、通路形成体１１０の右半部は電源ユニット２００の前方に位置することとなり、部品搭載部３０を後方から視認した場合に通路形成体１１０の右半部（電源ユニット閉鎖領域Ｒ１）を視認することは不可能とされる。換言すれば、通路形成体１１０の右半部は、電源ユニット２００の閉鎖動作によって秘匿されるとともに、開放動作によって初めて後方に露出した状態となる。
【００２９】
ロック体装着領域Ｒ２は、仕切り壁１１６を境界とする通路形成体１１０のほぼ左半部の領域である。当該ロック体装着領域Ｒ２において突設された格子状のリブ内には、後述する電源ユニットロック体１４０の前方に開設された図外のボス受けと係合する複数のボス１１８Ａ乃至１１８Ｃが後方に突設される。当該複数のボス１１８Ａ乃至１１８Ｃを介してその後方に電源ユニットロック体１４０が取り付けられた場合、通路形成体１１０の左半部は電源ユニットロック体１４０の前方に位置することとなり、パチンコ機１を後方から視認した場合に通路形成体１１０の左半部（ロック体装着領域Ｒ２）を視認することは不可能とされる。なお、電源ユニットロック体１４０の具体的構成については後述する。
【００３０】
図２に示すように、上記構成からなる通路形成体１１０は、その前方開口が部品搭載部３０の取り付け面３５と前後方向に対向する向きで取り付け面３５に複数形成されたボス３５Ａ及び図外の止めねじ等の固定手段を介して取り付けられ、当該通路形成体１１０が、本体枠３の部品搭載部３０に取り付けられることにより、上方から流下してくる遊技球を取り込み可能な前述の球取り込み間口Ｓが形成される。
【００３１】
次に、通路形成体１１０の左側に隣接して配設される通路形成体１２０について説明する。図３，図４に示すとおり、通路形成体１２０は例えば機種入れ替え時においてパチンコ機１内に残存する全ての遊技球（抜球）をパチンコ機１の外部まで誘導する排出通路１２１を主たる構成として備える。上記抜球作業は、払出ユニット７５０の外部に設けられた図外の遊技球排出レバーを操作することにより、払出ユニット７５０内に設けられた流路切替用の図外の弁を抜球方向に動作させ、遊技球の流下方向を排出通路１２１側に切り替え、払出ユニット７５０の内部通路内及び球補給タンク９内に残存する全ての遊技球をパチンコ機１外に排出する作業である。
【００３２】
図３に示すように排出通路１２１は、通路形成体１２０が部品搭載部３０に図外の止めねじ等を介して後方から搭載された場合に、部品搭載部３０の取り付け面３５と平行となる盤面１２３より前後方向に突設される下壁１２１Ａと、当該下壁１２１Ａの上方において対向する上壁１２１Ｂと、下壁１２１Ａ及び上壁１２１Ｂの前端縁同士を接続する背壁１２１Ｃとにより区画された後方開口の空間である。なお、排出通路１２１の後方開放は、後方に配置される中継基板ユニット４００のケーシング４１０によって閉塞される。排出通路１２１は、部品搭載部３０に取り付けられた状態において、払出ユニット７５０の下部に設けられた図外の排出口と連通する球導入口１２２を有し、左側から右側に向かって緩やかに下傾斜する。また、球導入口１２２より導入された遊技球は、その終端部において下方に垂下する導出口１２４より機外に排出される。
【００３３】
通路形成体１２０の盤面１２３の後部は、中継基板ユニット装着領域Ｒ３として形成されている。中継基板ユニット装着領域Ｒ３は、盤面１２３より後方に突出する側壁や格子状のリブによって区画されている。当該格子状のリブ内には後述する中継基板ユニット４００の前面に開設された図外のボス受けと係合する複数のボス１２８Ａ：１２８Ｂが突設されており、中継基板ユニット４００を前方から着脱可能に支持する。そして、通路形成体１２０の中継基板ユニット装着領域Ｒ３に中継基板ユニット４００が取り付けられると、通路形成体１２０の略全域が中継基板ユニット４００の前方に位置することとなり、図２に示すように、パチンコ機１を後方から視認した場合に通路形成体１２０の後方を視認することは不可能とされる。換言すれば、通路形成体１２０は、中継基板ユニット４００によって秘匿され、中継基板ユニット４００の取り外しによって露出する。
また、通路形成体１２０の盤面１２３より後方に向けて突設される上壁１２５は、前述の通路形成体１１０の上壁１１５と略面一となる位置に形成されており、通路形成体１２０が通路形成体１１０の左側に隣接するように組み付けられることにより、下枠４Ａの上面と略面一となる上壁１１５；１２５が左右方向に亘って延在する。
【００３４】
図２にも示すように、球受け拡張体１３０は、通路形成体１２０と、部品搭載部３０の取り付け面３５との間に上方から介挿可能に取り付けられる部品である。球受け拡張体１３０は、通路形成体１２０の上部前方に介挿された状態において、通路形成体１２０の上壁１２５と略面一となる上壁１３５と、当該上壁１３５の右端部より下方に垂下して右側に向かって下傾斜する球受け通路拡張部１３７を有する。図４に示すように、球受け通路拡張部１３７は、前述の通路形成体１１０の排出通路１１２を構成する下壁１１２Ａの突出寸法と略同一の前後寸法を有するとともに、下壁１１２Ａの始端部（上流側端部）と連接する。球受け拡張体１３０が通路形成体１２０の前方において部品搭載部３０の取り付け面３５との間に介挿され、右側に向かって下傾斜する球受け通路拡張部１３７が下壁１１２Ａと連接することにより、上方から落下してくる遊技球を受け入れ可能な球取り込み間口Ｓの左右方向の寸法が拡張されることとなり、遊技盤１０に配設される各入賞部品のレイアウトに幅広く対応することが可能となる。また、球受け拡張体１３０を通路形成体１２０とは独立した部品とし、上方から介挿可能な部品として構成したことにより遊技球の落下により破損，損傷を受けやすい球受け拡張体１３０単独でのメンテナンス作業（交換作業）を容易に行わしめることが可能となる。
【００３５】
以上説明したとおり、部品搭載部３０の取り付け面３５にはメンテナンス対象部品としての通路形成体１１０；１２０及び球受け拡張体１３０からなる球誘導ユニット１００が取り付け面３５に対してボスやその他の固定手段を介して着脱自在に取り付けられており、さらに球誘導ユニット１００の一部の領域（Ｒ２；Ｒ３）には電源ユニットロック体１４０と中継基板ユニット４００とが後方に重ね合されるようにして着脱自在に配設される。なお、本例においては、球誘導ユニット１００を別体として成型された通路形成体１１０；１２０及び球受け拡張体１３０から構成したが、これに限られるものではなく球誘導ユニット１００を単一の部品として一体成型してもよい。また、球誘導ユニット１００に形成された通路の本数や形状、或いは機能は上記の例に限られるものではなく、遊技盤１０に配設される入賞部品のレイアウト等によって適宜変更可能である。
【００３６】
次に通路形成体１１０の後部（ロック体装着領域Ｒ２）に配設される電源ユニットロック体１４０の構成について説明する。図３に示すように、電源ユニットロック体１４０は、前述の通路形成体１１０のロック体装着領域Ｒ２の外郭形状と対応するように後方視縦長矩形状の箱型であって、ロック体装着領域Ｒ２に突設された当該複数のボス１１８Ａ乃至１１８Ｃを介して通路形成体１１０の後方に積層されるように組み付けられる。
電源ユニットロック体１４０は、組み付けられた状態において前述の取り付け面３５と略平行な盤面部１４１と、当該盤面部１４１の上下の縁部において前後方向に延在する底壁１４２及び上壁１４３と、盤面部１４１の左右の縁部において前後方向に延在する右側壁１４６及び左側壁１４７とを有する。盤面部１４１は、電源ユニットロック体１４０の後面に相当する面であって、図７に示すように、盤面部１４１内には、電源ユニット２００及び中継基板ユニット４００間に亘って延在する電源ケーブルＫ１，ハーネスＨＡ１；ＨＡ１０の３本が通過する。上壁１４３は、通路形成体１１０に取り付けられた状態において、通路形成体１１０の上壁１１５と面一となる高さに形成されている。
【００３７】
右側壁１４６の上部には、図２，図５に示す電源ユニット２００のケーシング２１０の後部において左右方向に進退自在に設けられた第１ロックレバー２２０の先端部を受け入れ可能であるとともに、当該第１ロックレバー２２０の先端部と係合可能なロック部１４５が開設される。ロック部１４５は、右側壁１４６における閉鎖状態にある電源ユニット２００の第１ロックレバー２２０の高さと対応する位置に開設された凹部であって、電源ユニット２００を閉鎖状態とした後に第１ロックレバー２２０を左方向に操作することにより電源ユニットロック体１４０に対して電源ユニット２００が開放動作不能にロックされる。また、右側壁１４６には、上下方向中央部に掛けて前後方向の寸法が減少する段落とし部１４６Ａが形成されており、当該段落とし部１４６Ａを経由して電源ケーブルＫ１，ハーネスＨＡ１；ＨＡ１０が左右方向に延在した状態で引き回される。左側壁１４７は、隣接する中継基板ユニット４００のケーシング４１０の右側壁４１７の凸部４１７Ａの突出形状と合致する凹部１４７Ａを有しており、両者がそれぞれロック体装着領域Ｒ２及び中継基板ユニット装着領域Ｒ３に対して組み付けられた場合、左右方向に連接した状態で固定される。また、左側壁１４７の上下方向略中央部の後面には、電源ケーブルＫ１及び、ハーネスＨＡ１；ＨＡ１０を通すための段部１４７Ｂが形成されており、当該段部１４７Ｂを経由して電源ケーブルＫ１，ハーネスＨＡ１；ＨＡ１０が左右方向に延在する。
【００３８】
次に通路形成体１２０の後部（中継基板ユニット装着領域Ｒ３）に配設される中継基板ユニット４００の構成について説明する。図２，図３に示すように中継基板ユニット４００は、後方が開放した箱型のケーシング４１０と、当該ケーシング４１０内において格納される第１中継基板４５０及び第２中継基板４７０とを主たる構成として備える。ケーシング４１０は、中継基板ユニット装着領域Ｒ３に装着された状態において、前述の取り付け面３５と略平行となる横長矩形状の基板搭載面４１１と、当該基板搭載面４１１の４方を取り囲むように前後方向に突設される底壁４１４、上壁４１５、右側壁４１７及び左側壁４１８から形成される。
【００３９】
基板搭載面４１１には、縦長矩形状の第１中継基板４５０及び第２中継基板４７０の周囲を取り囲むように後方に突設されたリブ状の基板搭載部４１２Ａ；４１２Ｂが形成されており、第１中継基板４５０及び第２中継基板４７０をそれぞれ基板搭載部４１２内に位置決めした後に図外の止めねじ等の固定手段を用いることにより第１中継基板４５０及び第２中継基板４７０が基板搭載面４１１上に配設される。なお、固定手段を用いることなく基板搭載部４１２に設けられた係止爪等の係止手段によって第１中継基板４５０及び第２中継基板４７０を基板搭載面４１１上に配設してもよい。また、第１中継基板４５０及び第２中継基板４７０上において突設された複数のコネクタ端子ＣＮ２乃至ＣＮ１５と、これらコネクタ端子に接続される複数のハーネスとの関係については、電源ユニット２００及び払出制御ユニット３００との関係を交えながら後述する。基板搭載面４１１上に配置された第２中継基板４７０の下方には、基板搭載面４１１を前後方向に貫通するハーネス前方導出部４１１Ａが開設される。ハーネス前方導出部４１１Ａは、基板搭載面４１１を前後方向に貫通する開口であって、前述の通路形成体１２０の左側下部に開設されたハーネス導出路１２９と連通する。ハーネス導出路１２９は、通路形成体１２０を前後方向に貫通する通路である。第１中継基板４５０及び第２中継基板４７０に配設されたコネクタ端子に接続される一部のハーネス（ＳＨＡ１；ＨＡ４乃至ＨＡ９、ＨＡ１２及びＨＡ１２Ａ）は、ハーネス前方導出部４１１Ａ及びこれに連通するハーネス導出路１２９を通り、部品搭載部３０の前面に開設された複数のハーネス導出孔より部品搭載部３０の前面側に引き込まれるか、或いは、ハーネス導出路１２９を通り、前述の取り付け面３５よりも後方かつ通路形成体１２０の前方に形成される隙間から引き出される。例えば本実施形態においては、ハーネス引き出し孔３８から後方に導出される前述のスピーカハーネスＳＨＡ１が前述の取り付け面３５よりも後方かつ通路形成体１２０の前方の隙間を介して引き回されて後述のコネクタ端子ＣＮ１５と接続されている。
【００４０】
基板搭載面４１１の下縁より前後方向に突設される底壁４１４の右側部には、パチンコ機１の外部から供給される電源（例えばＡＣ２４Ｖ）供給用の電源ケーブルＫ１を係止するための電源ケーブル係止部４１４Ａが開設される。当該電源ケーブル係止部４１４Ａは、底壁４１４において前後方向に延在する切欠きであって、当該電源ケーブル係止部４１４Ａ内に電源ケーブルＫ１を挟みつけるように係止することにより、電源ケーブルＫ１の緩みや垂れ下がりが生じることなく電源ケーブルＫ１を電源ユニット２００の方向に引き回すことが可能となる。
【００４１】
基板搭載面４１１の上縁より前後方向に突設され、底壁４１４と平行に対向する上壁４１５の左側部には、ハーネス上方導出部４１５Ａが開設される。当該ハーネス上方導出部４１５Ａは、底壁４１４において前後方向に延在する切欠きであって、第１中継基板４５０、第２中継基板４７０又は払出制御ユニット３００の払出発射制御基板３００Ａに配設されたコネクタ端子にその一端部が接続され、その他端部が本体枠３の部品搭載部３０よりも上方に配設される主制御ユニット５００、副制御ユニット６００及び払出ユニット７５０側に接続される複数のハーネスＨＡ３；ＨＡ１１；ＨＡ１３が束ねられた状態で上下方向に亘って引き回される。また、ハーネス上方導出部４１５Ａの下部には、複数のハーネスＨＡ３；ＨＡ１１；ＨＡ１３を束ねた状態に維持する図外のクランプが配設されている。
【００４２】
基板搭載面４１１の右縁より前後方向に突設される右側壁４１７は、電源ユニットロック体１４０の左側壁１４７に形成された凹部１４７Ａと合致する凸部４１７Ａを有している。また、右側壁４１７の後面には、前述の電源ユニットロック体１４０の左側壁１４７と同様にハーネスＨＡ１を通すための段部４１７Ｂが形成されており、当該段部４１７Ｂを経由して電源ケーブルＫ１及びハーネスＨＡ１；ＨＡ１０が左右方向に延在する。
【００４３】
基板搭載面４１１の左縁より前後方向に突設される左側壁４１８は、その後面に上下方向に離間して形成される開閉ヒンジ４２０；４２１を備える。図３に示すように開閉ヒンジ４２０；４２１は、左側壁４１８の後面より後方に突設され、上下方向に貫通する開閉軸挿通部４２０Ａ；４２１Ａを有する。当該開閉軸挿通部４２０Ａ；４２１Ａ内には、後述する払出制御ユニット３００のケーシング３１０に設けられた上下一対の開閉ボス３１９Ｂ；３２０Ｂが挿入可能となっており、開閉ボス３１９Ｂ；３２０Ｂが開閉軸挿通部４２０Ａ；４２１Ａによって回転自在に保持されることにより、払出制御ユニット３００を中継基板ユニット４００の前後方向に向けて開閉自在に動作させることが可能となる。
【００４４】
上壁４１５と左側壁４１７とが交差する角部の内側には、逆Ｌ字状に形成されたハーネス後方導出部４２５が設けられる。ハーネス後方導出部４２５は、左側壁４１８に沿って略平行に上下方向に延在する導出片４２５Ａと、当該導出片４２５Ａの下端部より略直角に屈曲して、上壁４１５と略平行に延在する導出片４２５Ｂとにより形成される。当該ハーネス後方導出部４２５の後方への突出寸法は上壁４１５及び左側壁４１７よりも後方に設定される。また、当該ハーネス後方導出部４２５内には、複数のハーネスＨＡ２；ＨＡ１２Ａ；ＨＡ１３が束ねられた状態で引き込まれるとともに、導出片４２５Ａ；４２５Ｂにより形成される後方開口部から後方に向かって引き出される。なお、ハーネス後方導出部４１５Ａの右側部には、複数のハーネスＨＡ２；ＨＡ１２Ａ；ＨＡ１３を束ねた状態に維持する図外のクランプが配設されている。また、ハーネス後方導出部４２５の後方開口部は、後述の払出制御ユニット３００が閉鎖状態とされた場合において、払出制御ユニット３００のケーシング３１０に形成された切欠きであるハーネス引き出し領域Ｒ４によって後方に臨む部分（露出する部分）であり、当該ハーネス後方導出部４２５を経由して、中継基板ユニット４００の後方に位置する払出制御ユニット３００側に複数のハーネスＨＡ２；ＨＡ１２Ａ；ＨＡ１３が引き回される。
以上のとおり、中継基板ユニット４００は、ケーシング４１０の内部に格納された第１中継基板４５０及び第２中継基板４７０に配設された複数のコネクタ端子にそれぞれ接続される複数のハーネスを中継基板ユニット４００の前方に引き回し可能とするハーネス前方導出部４１１Ａと、複数のハーネスを上方に引き回し可能とするハーネス上方導出部４１５Ａ、及び複数のハーネス後方に引き回し可能とするハーネス後方導出部４２５とを有しており、これら各導出部を経由して複数のハーネスが中継基板ユニット４００の外部に延出するように引き回されることにより、電源ユニット２００の電源基板２００Ａから供給される電力が各ユニット内の基板に対して分配されるように供給されることとなる。
なお、図示は省略するが、第１中継基板４５０及び第２中継基板４７０の後方には、複数のコネクタ端子と対応するコネクタ開口部、及びヒューズＦＵ１；ＦＵ２、バックアップ電池ＢＰ１の突出形状と対応する凹部を有し、ケーシング４１０内において開閉自在に設けられたカバー体が配設されており、メンテナンス作業時における第１中継基板４５０及び第２中継基板４７０の板面への直接的な接触が防止される。
【００４５】
次に、本体枠３の後部において、開閉自在に設けられた電源ユニット２００及び払出制御ユニット３００の構成について説明する。特に図２に示すように、電源ユニット２００及び払出制御ユニット３００は、本体枠３の部品搭載部３０に対して、取り付け面３５の左右方向両側に設けられた開閉手段を介して互いに観音開き可能なように配設されている。
【００４６】
図２，図５に示すように、電源ユニット２００は左右方向に長尺な箱状のケーシング２１０と、当該ケーシング２１０内に格納された図外の電源基板２００Ａ（図１０参照）とから構成され、部品搭載部３０の右側部に突設された開閉手段としての開閉ヒンジ４０Ａ；４０Ｂを回転中心として図５の矢印で示す前後方向に閉鎖動作又は開放動作可能とされる。
【００４７】
ケーシング２１０は、電源基板２００Ａが図外の固定手段や係合手段を介してマウントされる基板ケース２１１と、当該基板ケース２１１の後方に一体的に組み付けられる基板カバー２１６とにより構成される。基板ケース２１１は、例えば合成樹脂により形成され、内部に収容される電源基板２００Ａの外郭形状と略同様の形状を有する収容体である。図５に特に示すように、基板ケース２１１は、閉塞壁２１２と、電源ユニット２００が閉鎖状態にある場合において閉塞壁２１２の４方の縁部から後方に立ち上がる下壁２１３Ａ、上壁２１３Ｂ、右側壁２１３Ｃ及び左側壁２１３Ｄとから構成される後方開放状である。閉塞壁２１２は、電源ユニット２００の閉鎖状態において、前述したスピーカ搭載部３０Ｂの後壁３７及び、通路形成体１１０の盤面１１３の後部である電源ユニット閉鎖領域Ｒ１の面積と略対応する面積を有し、その全域を後方から覆うように閉塞する壁部である。また、閉塞壁２１２の内面側には、略同形状の図外の電源基板２００Ａが閉塞壁２１２と平行に配設される。また、閉塞壁２１２の外面側には、閉鎖状態における電源ユニット２００の前方に向けて突出する十字ボス２１２Ａが形成される。当該十字ボス２１２Ａの位置は、閉鎖状態にある電源ユニット２００の閉塞壁２１２によって閉塞される電源ユニット閉鎖領域Ｒ１内に形成された前述のボス受け１１７と対応する位置に設定されており、電源ユニット２００の閉鎖動作によって十字ボス２１２Ａがボス受け１１７と係合することにより電源ユニット２００の閉鎖状態が維持される。
【００４８】
図５に示すように閉塞壁２１２の右側部には、上下方向に所定の間隔を隔てて複数の開閉ボス２１２Ｂ；２１２Ｃが突設される。開閉ボス２１２Ｂ；２１２Ｃは、閉塞壁２１２より僅かに前方に突出するとともに、下方に向けて突出する略円筒状であって、その外径は開閉ヒンジ４０Ａ；４０Ｂの内径と嵌り合う寸法に設定される。開閉ヒンジ４０Ａ；４０Ｂは、スピーカ搭載部３０Ｂの右側部において部品搭載部３０から前後方向に突設され、上下方向に延在する隔壁部４０と連接し、該隔壁部４０の上下端部においてそれぞれ個別に設けられた略筒状体である。開閉ヒンジ４０Ａ；４０Ｂには、上下方向に貫通し、開閉ボス２１２Ｂ；２１２Ｃの外径と対向する内径を有する保持孔が開設されている。図５の仮想線で示すように、開閉ヒンジ４０Ａ；４０Ｂの上下位置と対応する開閉ボス２１２Ｂ；２１２Ｃを上方から嵌め合わせるように電源ユニット２００を部品搭載部３０の後方に装着することにより、部品搭載部３０の後方において電源ユニット２００が左右方向に開閉自在に保持される。
【００４９】
閉塞壁２１２の下縁部及び上縁部から後方に立ち上がる下壁２１３Ａ及び上壁２１３Ｂには、その長手方向に沿って所定の間隔をもって複数の係止部２１４が形成されている。当該係止部２１４は、基板カバー２１６の下放熱壁２１７及び上放熱壁２１８の前端縁において長手方向に所定の間隔をもって形成された複数の係止爪２１９と係合可能な形状を有しており、これら複数の係止部２１４及び複数の係止爪２１９を互いに係合することにより基板ケース２１１と基板カバー２１６を一体化することが可能となる。
【００５０】
次に、基板ケース２１１に対して組み付けられる基板カバー２１６について説明する。基板カバー２１６は、例えば樹脂によって形成され、電源基板２００Ａが収容された基板ケース２１１の全域を覆うように基板ケース２１１と一体化される。各図に示すように、基板カバー２１６は、電源ユニット２００が閉鎖状態にある場合において基板ケース２１１の下壁２１３Ａ及び上壁２１３Ｂそれぞれの後縁部に連接し、後方に向けて互いに対向して立ち上がる下放熱壁２１７及び上放熱壁２１８と、基板ケース２１１の右側壁２１３Ｃの後端部に連接し、後方に向けて互いに対向して立ち上がる右側壁２２１と、基板ケース２１１の左側壁２１３Ｄの後端部の一部と連接し、後述の天壁２２４との間にハーネス接続凹部２４０を形成する左側壁２２２と、これら下放熱壁２１７、上放熱壁２１８、右側壁２２１及び左側壁２２２の後端部同士を接続し、前記基板ケース２１１の閉塞壁２１２と対向する天壁２２４とによって囲まれる前方開放の箱型状である。
【００５１】
図２等に示すように、互いに対向する下放熱壁２１７及び上放熱壁２１８には、前後方向に長い略楕円状の放熱孔が左右方向に沿って複数開設されており、当該放熱孔からは、パチンコ機１の稼働時において電源基板２００Ａから発せられる熱が放出される。右側壁２２１は、左方に向けて僅かに傾斜しつつ後方に延在し、天壁２２４の右縁部に至る。右側壁２２１は、上下方向に略直線的に延在するとともに、その下方において直角に屈曲するクランク部２２１Ａを有する。当該クランク部２２１Ａは、基板ケース２１１内の電源基板２００Ａと電気的に接続される後述のメインスイッチＭＳＷ１操作用の切欠きであって、当該クランク部２２１Ａを介して電源基板２００Ａ上に配設されたメインスイッチＭＳＷ１が後方に突出する。
【００５２】
図６に示すように、天壁２２４は、電源ユニット２００が閉鎖状態にある場合において、左右方向に亘って複数の段差を介して延在する壁部である。天壁２２４において右側に位置する（払出制御）ユニットロック部２２４Ａの表面は、電源ユニット２００及び後述する払出制御ユニット３００がともに閉鎖状態にある場合において、払出制御ユニット３００のケーシング３１０の後壁３１７の表面と略面一となる面である。このように、ユニットロック部２２４Ａの表面と後壁３１７の表面とを略面一となる寸法に設定することにより、電源ユニット２００及び後述する払出制御ユニット３００の閉鎖状態において、左右方向にフラットな状態で隣接することとなり、後方視した場合の外観を向上させることができるとともに、これらのユニットを最大限後方に配設したことによって、セキュリティ性の向上、及び設計制限領域内のスペースを最大限活用することができる。
ユニットロック部２２４Ａには、閉鎖状態にある払出制御ユニット３００の開放方向への動作を規制する第２ロックレバー２３０が設けられる。第２ロックレバー２３０は、ユニットロック部２２４Ａの表面から前方に向けて凹となるように開設されたスライダ部２３１上を左右方向に摺動自在に設けられており、第２ロックレバー２３０より後方に突出する操作部２３０Ａを作業者が操作することにより、閉鎖状態にある払出制御ユニット３００を開放動作不能とするロック状態、或いは、開放動作可能とするアンロック状態に切替可能である。第２ロックレバー２３０の先端部は、後述の払出制御ユニット３００のケーシング３１０上に設けられたロック部３１７Ａに係合し、払出制御ユニット３００をロック状態に維持する。
【００５３】
天壁２２４において、図５に示す所定寸法の段差Ｌ１を介してユニットロック部２２４Ａの左側に位置する（払出制御）ユニット係合部２２４Ｂは、電源ユニット２００及び払出制御ユニット３００がともに閉鎖状態にある場合において、払出制御ユニット３００のケーシング３１０の閉塞壁３１２の一部と前後に当接する面である。ユニット係合部２２４Ｂには、後方に向けて突出する十字ボス２２５が設けられている。図２に示すように、当該十字ボス２２５は、払出制御ユニット３００のケーシング３１０の右側部に形成されたボス受け３１３と対応する位置に突設されており、電源ユニット２００を閉鎖状態とした後に払出制御ユニット３００を閉鎖動作させることにより十字ボス２２５がボス受け３１３に係合する。また、払出制御ユニット３００が閉鎖状態となった場合、ユニット係合部２２４Ｂの外面は、払出制御ユニット３００によって覆われた状態となり、後方から視認することはできない。また、ユニットロック部２２４Ａとユニット係合部２２４Ｂとの段差寸法Ｌ１は後述の払出制御ユニット３００のケーシング３１０の前後寸法Ｌ２（厚さ寸法）と略一致するように設定されており、このような設定とすることによりユニットロック部２２４Ａと、払出制御ユニット３００のケーシング３１０の後壁３１７とが略面一となる。
【００５４】
次に、ケーシング２１０に設けられたハーネス接続凹部２４０の構造について説明する。図２に示すように、ハーネス接続凹部２４０は、基板カバー２１６の天壁２２４の左側部において前方（基板ケース２１１）に向けて凹となるように開設された後方及び左方が開放された領域である。当該ハーネス接続凹部２４０内には、基板ケース２１１上に配設された電源基板２００Ａと電気的に接続された複数のコネクタ端子ＰＣＮ１；ＣＮ１；ＣＮ１１及びヒューズＦＵ１が上下方向に並んだ状態で後方に向けて臨む。ハーネス接続凹部２４０は概略、天壁２２４のユニット係合部２２４Ｂよりも左側の領域において前方に向けて延在する下側壁２４１、上側壁２４２及び右側壁２４３と、これら各側壁２４１乃至２４３と連接し、基板ケース２１１の閉塞壁２１２と略平行に対向する底壁２４５とにより区画される。
【００５５】
下側壁２４１は、ケーシング２１０の下部左側において、下放熱壁２１７と対向するように天壁２２４から底壁２４５側に向かって所定の段部２４１Ａを介して延在する。段部２４１Ａは、上方に突出するように形成された壁部であって、当該段部２４１Ａの外面上に設けられたコネクタ開口部を介して外部電源投入用のコネクタ端子ＰＣＮ１が後方に突出するように臨む。
【００５６】
上側壁２４２は、ケーシング２１０の上部左側において、下放熱壁２１７及び側壁２４１と対向するように天壁２２４から底壁２４５側に向かって所定の段部２４２Ａを介して延在する。段部２４２Ａは、下方に突出するように形成された壁部であって、当該段部２４２Ａの外面上には、第１ロックレバー２２０が設けられる。第１ロックレバー２２０は、前述の第２ロックレバー２３０と同様に、段部２４２Ａの外面上に形成された図外のスライダ部を左右方向に摺動自在に設けられており、後方に突出する操作部２２０Ａを作業者が操作することにより、閉鎖状態にある電源ユニット２００を開放動作不能とするロック状態、或いは、開放動作可能とするアンロック状態に切替可能である。また、第１ロックレバー２２０の先端部は、前述した電源ユニットロック体１４０に設けられたロック部１４５に係合し、電源ユニット２００をロック状態に維持する。右側壁２４３は、下側壁２４１及び上側壁２４２の右側縁と連接するとともに、天壁２２４から底壁２４５側に向かって僅かに左傾斜しつつ延在する。
【００５７】
底壁２４５は、上記各側壁２４１乃至２４３の前端縁に連接するとともに、その表面には前後方向に連通する複数のコネクタ開口部が開設されている。各コネクタ開口部は、電源基板２００Ａと電気的に接続された電源出力用のコネクタ端子ＣＮ１；ＣＮ１１、及びヒューズＦＵ１の外郭形状と対応する開口であって、各コネクタ開口部を介してコネクタ端子ＣＮ１、コネクタ端子ＣＮ１１、及びヒューズＦＵ１が後方に突出する。図７（ａ）にも示すように、電源基板２００Ａに配設されたコネクタ端子ＰＣＮ１；ＣＮ１；ＣＮ１１及びヒューズＦＵ１は、ケーシング２１０の左側部に設けられたハーネス接続凹部２４０内において上下方向に沿って所定の間隔を隔てて外部に突設されており、各コネクタ端子ＰＣＮ１、コネクタ端子ＣＮ１；ＣＮ１１にそれぞれ前述の電源ケーブルＫ１及びハーネスＨＡ１；ＨＡ１０の一端側のコネクタが接続され、これら接続された電源ケーブルＫ１及びハーネスＨＡ１；ＨＡ１０がハーネス接続凹部２４０の左側の開放部より左方に延在する（引き回される）こととなる。
【００５８】
また、ケーシング２１０の左側に形成され、複数のコネクタ端子ＰＣＮ１；ＣＮ１；ＣＮ１１及びヒューズＦＵ１が後方に突出するハーネス接続凹部２４０の後方開放部は、後述の払出制御ユニット３００が閉鎖状態とされた場合において、前述のユニット係合部２２４Ｂと同様にその全域が覆われるように閉塞され、コネクタ端子ＰＣＮ１；ＣＮ１；ＣＮ１１と、これに対応する電源ケーブルＫ１及びハーネスＨＡ１；ＨＡ１０の接続部を後方から視認することは不可能とされ、換言すれば電源ケーブルＫ１及びハーネスＨＡ１；ＨＡ１０の接続部が秘匿された状態となる。
つまり、払出制御ユニット３００が閉鎖状態とされた場合においては、複数のコネクタ端子ＰＣＮ１：ＣＮ１；ＣＮ１１及びヒューズＦＵ１はもとより、各コネクタ端子ＰＣＮ１；ＣＮ１；ＣＮ１１から左方に延在する電源ケーブルＫ１及ハーネスＨＡ１；ＨＡ１０を後方から視認或いは接触することはできず、セキュリティ性を向上させることが可能となる。一方で、払出制御ユニット３００が開放状態とされた場合には、電源ケーブルＫ１、ハーネスＨＡ１；ＨＡ１０の接続部が直ちに後方に露出した状態となり、例えば球誘導ユニット１００へのメンテナンス作業に際して電源ユニット２００の開放動作が必要となる場合、露出した複数のコネクタ端子ＰＣＮ１：ＣＮ１；ＣＮ１１に接続された僅か３本の電源ケーブルＫ１、ハーネスＨＡ１；ＨＡ１０を引き抜くだけで電源ユニット２００を容易に開放動作させることが可能となる。
また、払出制御ユニット３００が閉鎖状態とされた場合においては、電源ケーブルＫ１及びハーネスＨＡ１；ＨＡ１０が秘匿され、外部から視認不能となるため、パチンコ機１を後方視した場合に全体としてスッキリとした収まりの良い外観を呈することが可能となる。
また、本実施形態においては、ハーネス接続凹部２４０を電源ユニット２００の開閉動作の中心となる開閉ボス２１２Ｂ；２１２Ｃ側とは反体側の側部（左側部）に形成しているため、ハーネス接続凹部２４０から延出する電源ケーブルＫ１及びハーネスＨＡ１；ＨＡ１０の延出距離を短くすることが可能となる。
【００５９】
次に、閉鎖状態において電源ユニット２００に隣接するように配設される払出制御ユニット３００について詳説する。図２、図６等に示すように、払出制御ユニット３００は、左右方向に長尺な薄板状のケーシング３１０と、当該ケーシング３１０内に格納された払出発射制御基板３００Ａ（図１０参照）、及び図外のＣＲユニット中継基板３５０Ａ（図１０参照）とから構成され、中継基板ユニット４００のケーシング４１０の一部を構成する左側壁４１８に形成された開閉手段としての前述の開閉ヒンジ４２０；４２１を回転中心として、図２の矢印で示す前後方向に閉鎖動作又は開放動作可能とされる。
【００６０】
払出制御ユニット３００のケーシング３１０は、払出発射制御基板３００Ａが図外の固定手段や係合手段を介してマウントされる基板ケース３１１と、当該基板ケース３１１に対して一体的に組み付けられる基板カバー３１６とにより構成される。基板ケース３１１と基板カバー３１６とは、図外の係合手段を介して前後方向に組み付けられた状態で、右側部に設けられた封印ボス３１８によって互いに強固に接合されており、封印ボス３１８の切断以外の手段によっては、ケーシング３１０を容易に開封することはできない。また、前述のとおり、ケーシング３１０の前後方向の寸法Ｌ２は、前述の段差寸法Ｌ１と略一致する寸法とされている。
【００６１】
図２に示すように、基板ケース３１１の閉塞壁３１２は、払出制御ユニット３００の閉鎖状態において、前述した電源ユニット２００のケーシング２１０の一部を構成する天壁２２４のユニット係合部２２４Ｂ、電源ユニットロック体１４０及び中継基板ユニット４００の面積と略対応する面積を有しており、その略全域を後方から覆うように閉塞する壁部である。
閉塞壁３１２の右側方には、払出制御ユニット３００の閉鎖状態においてユニット係合部２２４Ｂ上に突設された十字ボス２２５の位置と対応して係合するボス受け３１３が後方に向けて凹となるように開設されている。十字ボス２２５とボス受け３１３とが係合することにより払出制御ユニット３００の閉鎖状態が維持される。
【００６２】
よって、払出制御ユニット３００が閉鎖状態とされた場合には、中継基板ユニット４００内において後方に露出する各コネクタ端子ＣＮ２乃至ＣＮ１０及びコネクタ端子ＣＮ１２乃至ＣＮ１４及びこれに対応するように接続される複数のハーネスとの接続部が秘匿された状態とされる。一方で、払出制御ユニット３００が開放状態とされた場合には、接続部が直ちに後方に露出した状態となる。
【００６３】
また、図６に示すように、基板カバー３１６の後壁３１７には、前記ボス受け３１３の位置と前後に対応するロック部３１７Ａが設けられている。当該ロック部３１７Ａは、前述の第２ロックレバー２３０の先端部と係合可能である。また、基板カバー３１６の後壁３１７の左側には、後壁３１７より前方に凹となるコネクタ突出領域が形成されており、当該領域には、基板カバー３１６に開設された複数のコネクタ開口部を介してコネクタ端子ＣＮ１６乃至ＣＮ１９が後方に臨む。同図に示すように、コネクタ端子ＣＮ１７；ＣＮ１８は、基板カバー３１６の左側上部において左右方向に隣接して突出する端子である。コネクタ端子ＣＮ１６は、コネクタ端子ＣＮ１７の左側において、その長手方向がコネクタ端子ＣＮ１７に対して直交するように配置されて後方に突出する端子である。また、コネクタ端子ＣＮ１９は、コネクタ端子ＣＮ１６の左側下部においてその長手方向がコネクタ端子ＣＮ１７と平行となるように配置されて後方に突出する端子である。基板カバー３１６に開設された複数のコネクタ開口部は、これらコネクタ端子ＣＮ１６乃至ＣＮ１９の配置及び形状と対応するように開設されている。また、コネクタ開口部を介して後方に突設されたコネクタ端子ＣＮ１６乃至ＣＮ１８には、中継基板ユニット４００のケーシング４１０に設けられた後方ハーネス導出部４２５を経由して後方に引き出されるハーネスＨＡ２；ＨＡ１２Ａ；ＨＡ１３が接続され、コネクタ端子ＣＮ１９には、ハーネスＨＡ１４が接続される。なお、図６の例においては、図示の簡略化のため後方ハーネス導出部４２５を介して上記いずれかのハーネスが後方に引き出された様子を示す。
【００６４】
基板カバー３１６の左側壁３２５には、当該左側壁３２５から左方に突出する複数の開閉支持部３１９；３２０が設けられる。開閉支持部３１９；３２０はそれぞれ、ボス挿入部３１９Ａ；３２０Ａと、開閉ボス３１９Ｂ；３２０Ｂとから構成される。ボス挿入部３１９Ａ；３２０Ａは、上方及び前方が開口するコ字状に形成され、後述のコネクタ保護カバー４８０に形成された開閉ボス４８５Ａ；４８５Ｂとの外径と嵌り合う内径を有する。開閉ボス３１９Ｂ；３２０Ｂは、ボス挿入部３１９Ａ；３２０Ａの底面から下方に向けて突出する略円筒状であって、その外径は開閉ヒンジ４２０；４２１の内径と嵌り合う寸法に設定される。
【００６５】
払出制御ユニット３００は、上記開閉ボス３１９Ｂ；３２０Ｂを介して部品搭載部３０に対して開閉可能に配設される。具体的には、図６の仮想線で示すように、開閉ヒンジ４２０；４２１の上下間隔と対応する開閉ボス３１９Ｂ；３２０Ｂを開閉ヒンジ４２０；４２１の上方から嵌め合わせ、払出制御ユニット３００全体を下方に押し下げることにより開閉ヒンジ４２０；４２１によって払出制御ユニット３００を開閉自在に保持させる。
【００６６】
上記構成からなる払出制御ユニット３００の左側の角には、ハーネス引き出し領域Ｒ４が形成される。当該ハーネス引き出し領域Ｒ４は、前述の後方ハーネス導出部４２５の開口範囲と略対応するように、Ｌ字状に切りかかれた領域である。図７（ｂ）にも示すとおり、払出制御ユニット３００が閉鎖状態とされ、前方に位置する中継基板ユニット４００が払出制御ユニット３００により閉塞された場合、ハーネス引き出し領域Ｒ４を通じて前方に位置する後方ハーネス導出部４２５が後方に臨み、後方ハーネス導出部４２５を経由して後方（払出制御ユニット３００側）に引き出されるハーネスＨＡ２；ＨＡ１２Ａ；ＨＡ１３は、払出制御ユニット３００の開閉動作と干渉することなく各コネクタ端子ＣＮ１６乃至ＣＮ１８と接続される。
即ち、中継基板ユニット４００に形成されたハーネス後方導出部４２５、及び払出制御ユニット３００に形成されたハーネス引き出し領域Ｒ４は、ともに払出制御ユニット３００の開閉動作の開閉中心となる一側部に形成されており、さらに払出制御ユニット３００における各コネクタ端子ＣＮ１６乃至ＣＮ１８の突出位置も、払出制御ユニット３００の開閉動作の中心となる一側部に形成されていることから、ハーネスＨＡ２；ＨＡ１２Ａ；ＨＡ１３の長さを短縮化することができる。
【００６７】
また、図６，図１１に示すように、払出制御ユニット３００を後方視した場合に後方に臨むこととなるハーネス後方導出部４２５、ハーネス引き出し領域Ｒ４及びコネクタ端子ＣＮ１６乃至ＣＮ１８は、前述の開閉自在にコネクタ端子保護カバー４８０によって後方から閉塞される。同図に示すように、コネクタ端子保護カバー４８０は、払出制御ユニット３００の左側部の角に形成されたハーネス引き出し領域Ｒ４を含んで、払出制御ユニット３００において後方に突出するコネクタ端子ＣＮ１６乃至ＣＮ１８及びコネクタ端子ＣＮ１９に亘って延長する略Ｌ字状の部品であって、コネクタ端子保護カバー４８０を閉鎖状態とすることにより、コネクタ端子ＣＮ１９を除く他のコネクタ端子ＣＮ１６乃至ＣＮ１８が後方から閉塞される。なお、コネクタ端子保護カバー４８０は、例えば透明の樹脂から形成されており、コネクタ端子保護カバー４８０が閉鎖された状態であっても、コネクタ端子ＣＮ１６乃至ＣＮ１８を視認することは可能である。
【００６８】
図１１に示すように、コネクタ保護カバー４８０は、前述のコネクタ突出領域の範囲と対応する略Ｌ字状に形成された後壁部４８１を有し、当該後壁部４８１の周縁部から前方に向かってそれぞれ下壁部４８２、右側壁部４８３、底壁部４８４、左側壁部４８５及び上壁部４８６が立ち上がる。下壁部４８２は、後壁３１７の左側の角部付近の形状に沿うように後壁部４８１の右側部より左右方向に延在し、傾斜部を介して上下方向に垂下するとともに再び左右方向に屈曲するように延在して右側壁部４８３に至る。右側壁部４８３は、コネクタ端子ＣＮ１９の長手方向の寸法よりも長い寸法で上下方向に垂下し、底壁部４８４に至る。底壁部４８４は、コネクタ端子ＣＮ１９の短手方向の寸法よりも長い左右方向に延在し、左側壁部４８５に至る。左側壁４８５は、基板カバー３１６の上下寸法Ｌ３と略対応する寸法で右側壁部４８３と平行に上下方向に延在して上壁部４８６に至る。上壁部４８６は、コネクタ突出領域の左右方向の左右寸法Ｌ４と略対応する寸法で左右方向に延在し、下壁部４８２に至る。つまり、コネクタ保護カバー４８０は、コネクタ端子ＣＮ１６乃至ＣＮ１９が後方に向けて突出するコネクタ突出領域の形状と対応し、コネクタ突出領域を後方から覆うように取り付けられる。
【００６９】
また、コネクタ保護カバー４８０には、コネクタ端子ＣＮ１９と対応する位置において開設されるコネクタ開口部４９０が開設される。図１１に示すように、コネクタ開口部４９０は、後壁部４８１の左側部におけるコネクタ端子ＣＮ１９と対応する位置において前方に延長する内側側壁４９１；４９２と、内側側壁４９１；４９２の上端部同士を接続する内側上壁４９４と、内側側壁４９１；４９２の下端部と連接し、左右方向に延長する内側底壁４９５によって囲まれた開口部であって、当該コネクタ開口部４９０を介してコネクタ端子ＣＮ１９が後方に臨む。内側底壁４９５の中央部には、ハーネスＨＡ１４を導出するための引き出し部４９５Ａが形成されており、後述するハーネスＨＡ１４は、引き出し部４９５Ａに係止された状態でコネクタ端子ＣＮ１９と接続される。
【００７０】
上記構成からなるコネクタ保護カバー４８０は、左側壁部４８５において前方に突設された開閉ボス４８５Ａ；４８５Ｂを介して払出制御ユニット３００に対して開閉自在に配設される。開閉ボス４８５Ａ；４８５Ｂは、下方に向けて突出する略円筒状であって、その外径は前述したボス挿入部３１９Ａ；３２０Ａの内径と嵌り合う寸法に設定される。そして、コネクタ保護カバー４８０を払出制御ユニット３００に対して取り付けるには、図６の仮想線で示すように、ボス挿入部３１９Ａ；３２０Ａの上下間隔と対応する開閉ボス４８５Ａ；４８５Ｂの上方から嵌め合わせ、コネクタ保護カバー４８０全体を下方に押し下げることによりボス挿入部３１９Ａ；３２０Ａによってコネクタ保護カバー４８０を開閉自在に保持させる。
【００７１】
以下、図７，図８，図１０を参照して電源ユニット２００内に格納された電源基板２００Ａと、中継基板ユニット４００の第１中継基板４５０及び第２中継基板４７０を中心とするハーネスの接続関係について説明する。なお、各図においてハーネスは、図示の便宜上、直線的な線分により表されており、その両端部に設けられたコネクタについても省略しているが、ハーネスの形状は如何なる形状であってもよい。
また、不図示のコネクタの形状は、各コネクタ端子の形状，ピン数に対応した形状及びピン数を有していることは言うまでもない。また、各コネクタ端子に接続されるハーネスには、コネクタのピン数に対応した電源（例えば、ＤＣ３２Ｖ，ＤＣ１２Ｖ，ＡＣ２４Ｖ）供給線、ＧＮＰ（グランド）線、駆動信号線、検出信号入力線、或いはコマンド送信，受信用線等の各種の信号線が含まれることは言うまでもない。
【００７２】
図７に示すように、電源基板２００Ａから後方に突出するコネクタ端子ＰＣＮ１には、電源ケーブルＫ１が接続される。当該電源ケーブルＫ１は、前述のとおり電源ユニットロック体１４０の盤面部１４１上を経由して第１中継基板４５０側に引き回され、中継基板ユニット４００のケーシング４１０の底壁４１４に開設された電源ケーブル係止部４１４Ａによって係止され、ケーシング４１０の下方に引き出される。中継基板ユニット４００の下方に引き出された電源ケーブルＫ１は、部品搭載部３０の左側下縁部、左側側縁部、及び枠部４を構成する左枠４Ｂの後面において後方に起立するように形成されたケーブル導出路３９に沿って延在し、パチンコ機１の左側部を迂回するように前述の外部情報送信ユニット８００近傍まで引き出された状態で遊技機設置店に設けられた図外の電源（例えばＡＣ２４Ｖ）に接続される。つまり、電源ケーブルＫ１は、パチンコ機１の起動原となる電力をパチンコ機１の外部から引き込むケーブルである。なお、パチンコ機１を起動するには、電源ユニット２００の右側部において後方に突設されたメインスイッチＭＳＷ１の押下を行う必要がある。なお、図６に示すようにケーブル導出路３９の経路上には、電源ケーブルＫ１を係止可能な複数のクランプ３９Ａが設けられている。
【００７３】
上記電源ケーブルＫ１によってパチンコ機１に投入された電力は、電源基板２００Ａ上に配設された多様な電気素子を含む回路によって交直変換又は変換されることなく、或いは平滑又は平滑されることなくハーネスＨＡ１及びハーネスＨＡ１０によってそれぞれ中継基板ユニット４００の第１中継基板４５０及び第２中継基板４７０側に分配される。また、電源基板２００Ａ上に配設されたヒューズＦＵ１は、例えば副制御ユニット６００側の電源ショート等の異常によって作動し、電源基板２００Ａと演出制御基板６００Ａ間の電力供給を遮断して基板の損傷を保護する。
【００７４】
図７（ａ）に示すようにハーネスＨＡ１の一端部は、電源基板２００Ａに配設されたコネクタ端子ＣＮ１に接続され、他端部は第１中継基板４５０上に配設されたコネクタ端子ＣＮ２に接続される。同図に示すようにハーネスＨＡ１は、電源ケーブルＫ１と同様に電源ユニットロック体１４０の盤面部１４１上を経由して第１中継基板４５０に至り、コネクタ端子ＣＮ２に接続される。これにより電源基板２００Ａ及び第１中継基板４５０が電気的に接続される。
【００７５】
以下、ハーネスＨＡ１を介して電源基板２００Ａと接続される第１中継基板４５０の構成について説明する。図７（ａ）に示すように、第１中継基板４５０上には、複数のコネクタ端子ＣＮ２乃至ＣＮ１０、ヒューズＦＵ２及びバックアップ電池ＢＰ１が配設されている。
コネクタ端子ＣＮ３には、ハーネスＨＡ２の一端部が接続され、当該ハーネスＨＡ２の他端部は、払出発射制御基板３００Ａ上に配設されたコネクタ端子ＣＮ１６と接続される。
より詳細には、ハーネスＨＡ２は、中継基板ユニット４００に形成された前述のハーネス後方導出部４２５側に引き出された後、当該ハーネス後方導出部４２５の後方開口から払出制御ユニット３００側（後方）に引き回され、払出発射制御基板３００Ａの左側部に配設されたコネクタ端子ＣＮ１６に接続される。これらコネクタ端子ＣＮ３；ＣＮ１６間のハーネスＨＡ２による接続により、払出発射制御基板３００Ａへ電源が供給され、当該払出発射制御基板３００Ａに関連する制御に必要な電力が確保される。また、ケーシング３１０内に格納された払出発射制御基板３００Ａ及びＣＲユニット中継基板３５０Ａ同士は、互いに内部コネクタによってボード接続がなされており、払出発射制御基板３００Ａへの電源の供給によってＣＲユニット中継基板３５０Ａへの電力も確立される。
【００７６】
図７（ａ）に戻り、コネクタ端子ＣＮ４には、ハーネスＨＡ３の一端部が接続され、当該ハーネスＨＡ３の他端部は、左枠４Ｂの後面に沿って配設された払出ユニット７５０に配設されたコネクタ端子ＣＮ２０と接続される。より詳細には、ハーネスＨＡ３は中継基板ユニット４００のハーネス上方導出部４１５Ａを経由して上方に引き出され、払出ユニット７５０の側部に設けられたコネクタ端子ＣＮ２０と接続される（図８参照）。
コネクタ端子ＣＮ４；ＣＮ２０間のハーネスＨＡ３による接続により、払出ユニット７５０の一部を構成する払出モータに対する駆動信号の出力が確立され、同じく払出ユニット７５０の一部を構成する計数センサの検出信号の払出発射制御基板３００Ａ側への入力が確立される。なお、計数センサからの検出信号は、ハーネスＨＡ３を通じて第１中継基板４５０側に入力し、ハーネスＨＡ２を通じて払出発射制御基板３００Ａ側に入力する。
図７（ａ）に戻り、コネクタ端子ＣＮ５には、ハーネスＨＡ４の一端部が接続され、当該ハーネスＨＡ４の他端部は、部品搭載部３０の前方に配設される図外の球発射ユニット９００を構成する球発射モータのコネクタ端子と接続される。より詳細には、ハーネスＨＡ４は、中継基板ユニット４００の下部に開設されたハーネス前方導出部４１１Ａを経由して部品搭載部３０の前面側に引き出され、当該部品搭載部３０の前面側に搭載される球発射モータのコネクタ端子と接続される。コネクタ端子ＣＮ５及び球発射モータのコネクタ端子間のハーネスＨＡ４による接続により、球発射モータに対する駆動信号の出力が確立される。なお、球発射モータに対する駆動信号は、払出発射制御基板３００Ａより、ハーネスＨＡ２を通じて第１中継基板４５０側に出力され、ハーネスＨＡ４を通じて球発射モータ側に出力される。
【００７７】
コネクタ端子ＣＮ６には、ハーネスＨＡ５の一端部が接続され、当該ハーネスＨＡ５の他端部は、外部情報送信ユニット８００に格納された外部情報端子基板８００Ａに配設されたコネクタ端子ＣＮ２１と接続される。より詳細には、ハーネスＨＡ５は、中継基板ユニット４００のハーネス前方導出部４１１Ａを経由して取り付け面３５よりも後方かつ通路形成体１２０の前方の隙間を介して上方に引き回されて外部情報端子基板８００Ａのコネクタ端子ＣＮ２１と接続される。コネクタ端子ＣＮ６；ＣＮ２１間のハーネスＨＡ５による接続により、外部情報端子基板８００Ａに対する、主制御基板５００Ａ及び払出制御ユニット３００内に格納された払出発射制御基板３００Ａによって出力される入賞信号、大当り信号或いは賞球信号等の遊技の進行に関わる所定の情報に係る信号の出力が確立される。なお、当該遊技の進行に関わる所定の情報に係る信号は、払出制御ユニット３００内に格納された払出発射制御基板３００Ａより、ハーネスＨＡ２を通じて第１中継基板４５０側に出力され、ハーネスＨＡ５を通じて外部情報端子基板８００Ａに出力される。また、外部情報端子基板８００Ａは、これらの情報を遊技情報として遊技設置店に設けられた管理コンピュータ側に送信する。また、図示の例では図示の便宜上、ハーネス前方導出部４１１Ａから部品搭載部３０の前面側に引き出される複数のハーネスＨＡ４乃至ＨＡ９を集約された単一の線分として表している。
【００７８】
コネクタ端子ＣＮ７には、ハーネスＨＡ６の一端部が接続され、当該ハーネスＨＡ６の他端部は、ガラス窓開放検知センサのコネクタ端子と接続される。コネクタ端子ＣＮ７及びガラス窓開放検知センサのコネクタ端子間のハーネスＨＡ６による接続により、ガラス窓開放検知センサの検出信号の払出発射制御基板３００Ａ側への入力が確立される。なお、ガラス窓開放検知センサからの検出信号は、ハーネスＨＡ６を通じて第１中継基板４５０側に入力し、ハーネスＨＡ２を通じて払出発射制御基板３００Ａ側に入力する。ガラス窓開放検知センサによりガラス窓１６の不正開放が検出される。
また、コネクタ端子ＣＮ８には、ハーネスＨＡ７の一端部が接続され、当該ハーネスＨＡ７の他端部は、本体枠開放検知センサのコネクタ端子と接続される。コネクタ端子ＣＮ８及び本体枠開放検知センサのコネクタ端子間のハーネスＨＡ７による接続により、本体枠開放検知センサの検出信号の払出発射制御基板３００Ａ側への入力が確立される。なお、本体枠開放検知センサからの検出信号は、ハーネスＨＡ７を通じて第１中継基板４５０側に入力し、ハーネスＨＡ２を通じて払出発射制御基板３００Ａ側に入力する。本体枠開放検知センサにより本体枠３の不正開放が検出される。
また、コネクタ端子ＣＮ９には、ハーネスＨＡ８の一端部が接続され、当該ハーネスＨＡ８の他端部は、磁気センサのコネクタ端子と接続される。コネクタ端子ＣＮ９及び磁気センサのコネクタ端子間のハーネスＨＡ８による接続により、磁気センサの検出信号の払出発射制御基板３００Ａ側への入力が確立される。なお、磁気検知センサからの検出信号は、ハーネスＨＡ８を通じて第１中継基板４５０側に入力し、ハーネスＨＡ２を通じて払出発射制御基板３００Ａ側に入力する。また、磁気検知センサは、例えば遊技盤１０の背面に搭載されており、遊技盤１０の前面に磁石を近づけることによって実行される不正行為を検出するセンサである。
また、コネクタ端子ＣＮ１０には、ハーネスＨＡ９の一端部が接続され、当該ハーネスＨＡ９の他端部は、満タン検知センサのコネクタ端子と接続される。コネクタ端子ＣＮ１０及び満タン検知センサのコネクタ端子間のハーネスＨＡ９による接続により、満タン検知センサの検出信号の払出発射制御基板３００Ａ側への入力が確立される。当該満タン検知センサは、皿上に所定量以上の遊技球が貯留されたことを検知する。上記各ハーネスＨＡ６乃至ＨＡ９は、前述のハーネスＨＡ４；ＨＡ５及び後述のハーネスＨＡ１２；ＨＡ１２Ａ；ＳＨＡ１とともに纏められた状態でハーネス前方導出部４１１Ａを経由して取り付け面３５よりも後方かつ通路形成体１２０の前方の隙間を介して引き回されて各センサと接続される。なお、コネクタ端子ＣＮ３乃至ＣＮ１０及びその接続先は、各種の信号線と共に、適宜、電源供給線又はＧＮＤ線が接続されており、以下に説明する各コネクタ端子及びその接続先についても同様である。
以上のとおり、第１中継基板４５０は、電源基板２００Ａ側から供給された電源を分配，供給する機能を有するとともに、払出発射制御基板３００Ａ側から出力されるモータの駆動信号を中継して払出モータや球発射モータ側に出力する機能、及び複数の検知センサからの検知信号を中継して払出発射制御基板３００Ａ側に入力する機能を有する。
【００７９】
第１中継基板４５０のヒューズＦＵ２は、例えば機外のＣＲユニットにおける電源ショート等の異常によって入力され得る定格以上の電力（電流）の入力によって作動し、ハーネスＨＡ１４を介して供給される電源基板２００ＡとＣＲユニット間の電力供給を遮断して基板の損傷を保護する。また、バックアップ電池ＢＰ１は、例えば遊技設置店の停電による断電時に電力を供給し、各種の遊技データが消失することを防止する電源として機能する。
【００８０】
次にハーネスＨＡ１０を介して電源基板２００Ａより電力が供給される第２中継基板４７０の構成について説明する。
図７（ａ）に示すように、ハーネスＨＡ１０の一端部は、電源基板２００Ａに配設されたコネクタ端子ＣＮ１１に接続され、他端部は、第２中継基板４７０上に配設されたコネクタ端子ＣＮ１２に接続される。同図に示すようにハーネスＨＡ１０は、電源ケーブルＫ１及びハーネスＨＡ１と同様に電源ユニットロック体１４０の盤面部１４１上を経由して第２中継基板４７０に至り、コネクタ端子ＣＮ１２に接続される。第２中継基板４７０上には、複数のコネクタ端子ＣＮ１２乃至ＣＮ１５が配設されている。
【００８１】
コネクタ端子ＣＮ１３には、ハーネスＨＡ１１の一端部が接続され、当該ハーネスＨＡ１１の他端部は、図８に示す演出制御基板６００Ａ上に配設されたコネクタ端子ＣＮ２２と接続される。より詳細には、ハーネスＨＡ１１は、前述のハーネスＨＡ３とともに、ハーネス上方導出部４１５Ａを経由して上方に引き出されたのち、部枠４内に配設される副制御ユニット６００内に格納された演出制御基板６００Ａに配設されたコネクタ端子ＣＮ２２と接続される。コネクタ端子ＣＮ１３；２２間のハーネスＨＡ１１による接続により、演出制御基板６００Ａへ電源が供給され、当該演出制御基板６００Ａに関連する制御に必要な電力が確保される。
【００８２】
ここで、図８に示すように副制御ユニット６００は、枠部４内に着脱自在に搭載される前述の遊技盤１０の後面側に対して配設された演出表示装置６５０の背面に着脱自在に配設されている。副制御ユニット６００は、払出制御ユニット３００のケーシング３１０と略同等の機能を有する開封困難なケーシングと、当該ケーシング内に格納された演出制御基板６００Ａとから構成され、後述の主制御ユニット５００よりも上方かつ外部情報送信ユニット８００よりも下方に配設されている。演出制御基板６００Ａに配設されたコネクタ端子ＣＮ２２は、ケーシング下部左方より後方に突出しており、上記のとおり、当該コネクタ端子ＣＮ２２にはハーネス上方導出部４２５を介して上方に導出されたハーネスＨＡ１１が接続されている。演出制御基板６００Ａは、図柄制御、ランプ制御及び音声制御を行う基板である。また、演出制御基板６００Ａには、機能ごとに分割された制御基板に対応するように演出表示装置６５０へのコマンド出力用のコネクタ端子や、パネル扉１５の前面上部に配設されたスピーカＳＰ１；ＳＰ２への駆動信号出力用のコネクタ端子等の複数のコネクタ端子の他、主制御基板５００Ａとの接続用のコネクタ端子が配設されている。
【００８３】
コネクタ端子ＣＮ１４には、ハーネスＨＡ１２の一端部が接続され、当該ハーネスＨＡ１２の他端部は、パネル扉１５の前面側に配設された装飾ランプ基板のコネクタ端子に接続される。より詳細には、ハーネスＨＡ１２は、ハーネス前方導出部４１１Ａを経由して取り付け面３５よりも後方かつ通路形成体１２０の前方の隙間を介してパネル扉１５の前面側に配設された装飾ランプ基板のコネクタ端子と接続される。コネクタ端子ＣＮ１４及び装飾ランプ基板のコネクタ端子間のハーネスＨＡ１２による接続により、装飾ランプ基板に対する点灯制御信号の出力が確立される。なお、装飾ランプ基板に対する点灯制御信号は、演出制御装置６００Ａより、ハーネスＨＡ１１を通じて第２中継基板４７０側に出力され、ハーネスＨＡ１２を通じて装飾ランプ基板側に出力される。
また、上記ハーネスＨＡ１２が引き回されるハーネス前方導出部４１１Ａには、前述のハーネスＨＡ４乃至ＨＡ９及び上記ハーネスＨＡ１２の他、払出発射制御基板３００Ａと、枠部４内に配設された扉中継基板２５０Ａ（図１０参照）とを接続するハーネスＨＡ１２Ａが引き回されている。より詳細には、ハーネスＨＡ１２Ａの一端部は、前述のハーネスＨＡ２；ＨＡ３とともにハーネス後方導出部４２５より後方に引き出され、中継基板ユニット４００の後方に位置する払出制御ユニット３００を構成する払出発射制御基板３００Ａのコネクタ端子ＣＮ１８に接続される。また、ハーネスＨＡ１２Ａの他端部は、ハーネス前方導出部４１１Ａを経由して取り付け面３５よりも後方かつ通路形成体１２０の前方の隙間を介して上方に引き回され、枠部４内に配設された扉中継基板２５０Ａ（図１０参照）に配設された図外のコネクタ端子と接続される。つまり、ハーネスＨＡ１２Ａは、中継基板ユニット４００のケーシング４１０内を通過して払出発射制御基板３００Ａと扉中継基板２５０Ａとを接続する。
扉中継基板２５０Ａには、主としてハンドルユニット２６０を構成する発射ボリューム、停止スイッチ及びタッチセンサと、球送りモータとが接続されている。
コネクタ端子ＣＮ１８及び扉中継基板２５０Ａのコネクタ端子間のハーネスＨＡ１２Ａによる接続により、扉中継基板２５０Ａと接続された球送りモータへの駆動信号の出力が確立され、発射ボリューム、停止スイッチ及びタッチセンサの検出信号の払出発射制御基板３００Ａ側への入力が確立される。
なお、球送りモータに対する駆動信号は、払出発射制御基板３００Ａより、ハーネスＨＡ１２Ａを通じ、扉中継基板２５０Ａを介して球送りモータ側に出力される。また、発射ボリューム、停止スイッチ、タッチセンサからの検出信号は、扉中継基板２５０Ａを介して、ハーネスＨＡ１２を通じ、払出発射制御基板３００Ａ側に入力する。そして、払出発射制御基板３００Ａは、ハーネスＨＡ１２Ａを介して入力される発射ボリューム、停止スイッチ、タッチセンサの検出信号に基づいて前述の球発射ユニット９００及び球送りモータを制御する。
【００８４】
コネクタ端子ＣＮ１５には、スピーカハーネスＳＨＡ１の一端部が接続され、当該スピーカハーネスの他端部は、スピーカユニットと接続される。より詳細には、スピーカハーネスＳＨＡ１は、前述の取り付け面３５よりも後方かつ通路形成体１２０の前方の隙間を介して、閉鎖状態にある電源ユニット２００の前方を通ってハーネス引き出し孔３８に至り、スピーカ搭載部３０Ｂに搭載されスピーカユニットと接続される。
コネクタ端子ＣＮ１５及びスピーカユニット間のハーネスＳＨＡ１による接続により、スピーカユニットに対するスピーカ駆動信号の出力が確立される。なお、スピーカユニットに対するスピーカ駆動信号は、演出制御基板６００Ａより、ハーネスＨＡ１１を通じて第２中継基板４７０側に出力され、ハーネスＳＨＡ１を通じてスピーカユニットに出力される。
また、図２に示すように、スピーカ搭載部３０Ｂの後面３７には、スピーカハーネスＳＨＡ１を係止するためのクランプ３７Ａ；３７Ｂが設けられており、当該クランプ３７Ｂを介してスピーカハーネスＳＨＡ１を予め弛ませた状態でスピーカユニットに接続することによりスピーカユニットに対するメンテナンスを容易化することが可能となる。即ち、スピーカハーネスＳＨＡ１を予め弛ませた状態としておけば、スピーカユニットをスピーカ搭載部３０Ｂの前方から前側に容易に引き抜くことができるため、スピーカユニット自体のメンテナンスを容易に行うことができる。
【００８５】
図７（ｂ）に示すように、払出制御基板３００Ａのコネクタ端子ＣＮ１７には、ハーネスＨＡ１３の一端部が接続され、当該ハーネスＨＡ１３の他端部は、図８に示す主制御ユニット５００に格納された主制御基板５００Ａ上に配設されたコネクタ端子ＣＮ２３と接続される。より詳細には、ハーネスＨＡ１３は、ハーネス後方導出部４２５及びハーネス上方導出部４１５Ａを経由して中継基板ユニット４００の上方に引き出され、中継基板ユニット４００よりも上方に配設された主制御ユニット５００を構成する主制御基板５００Ａに配設されたコネクタ端子ＣＮ２３に接続される。つまり、ハーネスＨＡ１３は、中継基板ユニット４００のケーシング４１０内を通過して払出発射制御基板３００Ａと主制御基板５００Ａとを接続する。コネクタ端子ＣＮ１７；ＣＮ２３間のハーネスＨＡ１３による接続により、主制御基板５００Ａへ電源が供給され、当該主制御基板５００Ａに関連する制御に必要な電力が確保される。また、主制御基板５００Ａから払出発射制御基板３００Ａに対しては、ハーネスＨＡ１３を通じて、例えば発射許可信号、賞球制御信号等が出力される。
【００８６】
ここで、主制御ユニット５００は、枠部４内に着脱自在に搭載される図外の遊技盤１０の背面に対して装着されている。主制御ユニット５００は、前記同様の開封困難なケーシングと、当該ケーシング内に格納された主制御基板５００Ａとから構成され、上記中継基板ユニット４００よりも上方かつ副制御ユニット６００よりも下方に配設されている。主制御基板５００Ａに配設されたコネクタ端子ＣＮ２３は、例えばケーシング上部左方より後方に突出しており、当該コネクタ端子ＣＮ２３には、ハーネス上方導出部４２５を介して上方に導出されたハーネスＨＡ１３が接続されている。
なお、主制御基板５００Ａには、ハーネスＨＡ１３の他、前述した各種の検出センサＳＷ１乃至ＳＷ４接続用のコネクタ端子や、前述の当否抽選処理の結果（当否抽選結果）を報知するための表示装置接続用のコネクタ端子、或いは前述の大入賞部品２３を開閉動作させるための駆動源となるソレノイド接続用のコネクタ端子等の複数のコネクタ端子の他、演出制御基板３００Ａとの接続用のコネクタ端子が配設されており、これらコネクタ端子間へのハーネスの接続によって主制御基板５００Ａとこれらの機器の接続が確保される。
【００８７】
図７（ｂ）に示すように、ＣＲユニット中継基板３５０Ａのコネクタ端子ＣＮ１９には、ハーネスＨＡ１４の一端部が接続され、当該ハーネスＨＡ１４の他端部は、遊技機設置店に設置されたＣＲユニット（球貸し出し装置）内に配設された図外のＣＲユニット基板に配設されたコネクタ端子に接続される。コネクタ端子ＣＮ１９及びＣＲユニット基板のコネクタ端子間のハーネスＨＡ１４による接続により、ＣＲユニットへ電源が供給され、ＣＲユニットの駆動に必要な電力が確保される。なお、ハーネスＨＡ１４の引き回しは、例えば前述の電源ケーブルＫ１の経路に準じて行われる。
以上のとおり、第２中継基板４７０は、電源基板２００Ａ側から供給された電源を分配，供給する機能を有するとともに、演出制御基板６００Ａ側から出力される点灯制御信号或いはスピーカ駆動信号を中継して、それぞれの信号を、装飾ランプ基板及びスピーカユニット側に出力する機能を有する。
【００８８】
以上のとおり、本実施形態における中継基板ユニット４００を構成する第１中継基板４５０及び第２中継基板４７０には、２系統のハーネスＨＡ１；ＨＡ１０を通じて電源基板２００Ａ側からの電力がそれぞれ供給されている。また、第１中継基板４５０及び第２中継基板４７０に供給された電力は、閉鎖状態において払出制御ユニット３００によって後方から秘匿されるケーシング４１０に形成された複数のハーネス導出部４１１Ａ；４１４Ａ；４２５を介してそれぞれ中継基板ユニット４００の前方、後方及び上方に引き回される複数ハーネスによって各基板側に出力される構成である。
【００８９】
以下、中継基板ユニット４００を介して複数のハーネスを引き回す構成とした場合のメンテナンス作業における優位性について説明する。
（払出制御ユニット３００の取り外しについて）
図１１に示すように、開閉自在に配設された電源ユニット２００及び払出制御ユニット３００が完全に閉鎖状態にある場合において、払出制御ユニット３００の払出制御基板３００Ａに何らかの支障が生じ、払出制御ユニット３００の取り外し作業が必要となった場合、図９（ａ）に示すように、作業者はまずＳ１において、前述のコネクタ保護カバー４８０を開放動作させた後、払出制御ユニット３００に接続された４本のハーネス（ＨＡ２；ＨＡ１２Ａ；ＨＡ１３；ＨＡ１４）を引き抜く。そして、Ｓ２において、電源ユニット２００側に設けられた第２ロックレバー２３０を右方に操作することにより、第２ロックレバー２３０とロック部３１７Ａとの係合を解除し、払出制御ユニット３００を後方に向けて開放動作させる。このとき、Ｓ１において引き抜かれ、後方ハーネス導出部４２５を介して後方に導出されたハーネスＨＡ２；ＨＡ１２Ａ；ＨＡ１３は、払出制御ユニット３００に形成されたハーネス引き出し領域Ｒ４によって払出制御ユニット３００の開放動作に干渉することはなく、作業者は払出制御ユニット３００を速やかに開放することができる。次に、作業者は、Ｓ３において払出制御ユニット３００をやや上方に引き上げることにより、中継基板ユニット４００に設けられた開閉ヒンジ４２０；４２１と、開閉ボス３１９Ｂ；３２０Ｂとの係合を解除することにより払出制御ユニット３００を容易に取り外すことができる。また、取り外し後に現状復帰する場合には、上記手順と逆の手順を踏むことが必要となるが、ハーネスの接続に関しては、事前に引き抜かれ、後方ハーネス導出部４２５から後方に導出された状態の僅か４本のハーネスを元のコネクタ端子ＣＮ１７乃至ＣＮ１９に接続するだけでよいため、容易に現状復帰することができる。
【００９０】
（電源ユニットの取り外しについて）
図１１に示す状態から例えば電源ユニット２００の電源基板２００Ａに何らかの支障が生じ、電源ユニット２００の取り外し作業が必要となった場合、図９（ｂ）に示すように、作業者は、まずＳ１０において、電源ユニット２００側に設けられた第２ロックレバー２３０を右方に操作することにより、第２ロックレバー２３０とロック部３１７Ａとの係合を解除し、払出制御ユニット３００を後方に向けて開放動作させる。このとき、後方ハーネス導出部４２５を介して後方に導出されたハーネスＨＡ２；ＨＡ１２Ａ；ＨＡ１３は、ハーネス引き出し領域Ｒ４によって干渉することがないため、ハーネスＨＡ２；ＨＡ１２Ａ；ＨＡ１３を払出制御ユニット３００から引き抜く作業は不要である。次に作業者は、Ｓ１１において、払出制御ユニット３００の開放動作によって後方に露出する中継器基板ユニット４００及び電源ユニット２００間に延在するハーネスを引き抜く。具体的には、電源ケーブルＫ１、ハーネスＨＡ１；ＨＡ１０の計３本をそれぞれ払出制御ユニット３００側のコネクタ端子ＰＣＮ１；ＣＮ１；ＣＮ１１から引き抜く。
次に、作業者は、Ｓ１２において電源ユニット２００に設けられた第１ロックレバー２２０を右方に操作し、電源ユニットロック体１４０に設けられたロック部１４５との係合を解除するとともに、電源ユニット２００を後方に向けて開放動作させる。次に作業者は、Ｓ１３において電源ユニット２００を上方にやや上方に引き上げることにより、部品搭載部３０に設けられた開閉ヒンジ４０Ａ；４０Ｂと、開閉ボス２１２Ｂ；２１２Ｃとの係合を解除することにより、電源ユニット２００を容易に取り外すことができる。また、取り外し後に現状復帰する場合には、上記手順と逆の手順を踏む必要があるが、ハーネスの接続に関しては、中継基板ユニット４００側から延出する僅か３本の電源ケーブルＫ１，ハーネスＨＡ１；ＨＡ１０を元のコネクタ端子ＰＣＮ１；ＣＮ１；ＣＮ１１に接続するだけでよいため、容易に現状復帰することができる。
【００９１】
（球誘導ユニットの取り外しについて）
次に、図１１に示す状態から例えば球誘導ユニット１００を構成するいずれかの通路形成体１１０；１２０、及び球受け拡張体１３０に遊技球の落下の衝撃等による損傷が生じ、各通路形成体１１０；１２０、及び球受け拡張体１３０を個別、或いは複数交換するに際して取り外し作業が必要となった場合について説明する。なお、以下の説明においては、前述のＳ１２までの手順は同様であるのでその説明を省略する。Ｓ１２までの手順が終了すると、図２に示すように部品搭載部３０の後方は、電源ユニット２００及び払出制御ユニット３００の開放動作によって露わとなり、電源ユニット２００及び払出制御ユニット３００によって視認不能に秘匿されていた通路形成体１１０及び中継基板ユニット４００が後方に露出した状態となる。
【００９２】
上記の状態において通路形成体１１０を取り外すには、取り付け面３５に複数形成されたボスとの係合を解除すべく、通路形成体１１０の後部から前方に向けて螺入された図外の止めねじ等の固定手段を後方から取り外せばよい。また、上記の状態において球受け拡張体１３０を取り外すには、通路形成体１２０と取り付け面３５との間に介挿された球受け拡張体１３０を図外の工具によって上方に持ち上げることにより容易に取り外すことができる。なお、球受け拡張体１３０が止めねじ等によって螺合されている場合にはこれを取り外せばよい。
【００９３】
また、上記の状態において通路形成体１２０を取り外すには、まず中継基板ユニット４００を通路形成体１２０の中継基板ユニット装着領域Ｒ３から取り外す必要がある。それには、図３に示すように、中継基板ユニット４００の後面に開設された図外のボス受けと係合する複数のボス１２８Ａ：１２８Ｂとの係合を解除すべく中継基板ユニット４００を後方に向けて引き抜く。これにより、中継基板ユニット４００によって秘匿されていた通路形成体１２０の後部が後方に露出するため、あとは通路形成体１２０後部から前方に向けて螺入された図外の止めねじ等の固定手段を後方から取り外せばよい。
【００９４】
以上のとおり、メンテナンス作業が必要な主な対象となる球誘導ユニット１００は、電源ユニット２００及び払出制御ユニット３００が開放状態とされた場合において、後方から容易に目視可能であり、さらに容易に取り外すことが可能とされているため、例えば遊技球の詰まりや、損傷に伴う交換等のメンテナンス作業を容易に行うことができる。
また、その前提としての電源ユニット２００及び払出制御ユニット３００の開放動作については、電源ユニット２００及び中継基板ユニット４００間に延在する僅か３本のハーネス（電源ケーブルＫ１，ハーネスＨＡ１；ＨＡ１０）を引き抜くだけで電源ユニット２００及び払出制御ユニット３００をともに開放状態とすることができるため、球誘導ユニット１００の露出作業及び、メンテナンス後の現状復帰作業も容易かつ速やかに行うことができる。
【００９５】
以上、本発明を実施の形態を用いて説明したが、本発明の技術的範囲は上記実施形態に限定されるものではない。各実施形態に多様な変更、改良を加え得ることは当業者にとって明らかであり、そのような変更又は改良を加えた形態も本発明の技術的範囲に含まれ得ることは、特許請求の範囲の記載から明らかである。
【００９６】
例えば、上記実施形態おいては、電源ユニット２００及び払出制御ユニット３００をともに上述の開閉ボスを介して開閉自在とし、互いに観音開き可能に搭載したがこれに限られるものではなく、開閉ボスを用いることなく電源ユニット２００を本体枠３の部品搭載部３０の後面に対して図外の係止爪や止めねじ等の固定手段により固定的に取り付け、さらに払出制御ユニット３００を中継基板ユニット４００のケーシング４１０に対して図外の係止爪や止めねじ等の固定手段により固定的に取り付ける構成としてもよい。
一方で、上述の観音開きの構成を採用すれば電源ユニット２００又は払出制御ユニット３００の開放時に電源ユニット２００又は払出制御ユニット３００のそれぞれが開閉ヒンジ４０Ａ；４０Ｂ又は開閉ヒンジ４２０；４２１によって片開き状態で支持されるため、球誘導ユニット１００へのメンテナンス作業中に電源ユニット２００又は払出制御ユニット３００を作業台等のパチンコ機１外の場所に置く必要がなくなるため、より一層メンテナンス作業の効率化を図ることができる。
【００９７】
１  パチンコ機，３  本体枠，４  枠部，１０  遊技盤，３０  部品搭載部，
１００  球誘導ユニット，１１０；１２０  通路形成体，１３０  球受け拡張体，
１４０  電源ユニットロック体，１４１  盤面部，２００  電源ユニット，
２００Ａ  電源基板，３００  払出制御ユニット，３００Ａ  払出発射制御基板，
３５０Ａ  ＣＲ中継基板，４００  中継基板ユニット，４１１Ａ  ハーネス前方導出部，
４１５Ａ  ハーネス上方導出部，４２５  ハーネス後方導出部，
４８０  コネクタ保護カバー。
【図１】
2014161546.tif 000003
【図２】
2014161546.tif 000004
【図３】
2014161546.tif 000005
【図４】
2014161546.tif 000006
【図５】
2014161546.tif 000007
【図６】
2014161546.tif 000008
【図７】
2014161546.tif 000009
【図８】
2014161546.tif 000010
【図９】
2014161546.tif 000011
【図１０】
2014161546.tif 000012
【図１１】
2014161546.tif 000013